(57)【要約】  好ましい一形態において、建築構造物１３６が提供される。建築構造物は、本体部１４０から延び床領域１４４を提供するように構成された床拡張部１４２を有する本体部１４０を備え、床拡張部１４２が建物モジュールを受け入れるための設備１４６を含む。【選択図】図１１
2014508873.tif 000002
【特許請求の範囲】
【請求項１】
本体部を備える建築構造物であって、前記本体部が、前記本体部から延び床領域を提供するように構成された床拡張部を有し、前記床拡張部が建物モジュールを受け入れるための設備を含む、建築構造物。
【請求項２】
建物ユニットを備え、前記建物モジュールが台所モジュールまたは浴室モジュールを備える、請求項１に記載の建築構造物。
【請求項３】
前記床拡張部が、輸送状態にあるときには垂直方向に取り付けられ、その後、水平方向に配置されて前記床領域を提供するように構成される、請求項１または２に記載の建築構造物。
【請求項４】
前記設備が、前記建物モジュールを受け入れるように構成された形態を有する取付設備を備える、請求項１、２または３に記載の建築構造物。
【請求項５】
前記取付設備が、前記床拡張部の本体内に延びる凹部を設けることにより前記建物モジュールを受け入れるように構成された形態を有する、請求項４に記載の建築構造物。
【請求項６】
前記取付設備が、凹部を含み、前記凹部が、前記建物モジュールを前記凹部内の位置に摺動させることを可能にする、請求項１〜４のいずれか一項に記載の建築構造物。
【請求項７】
スライドシステムが、前記建物モジュールを前記凹部内に配置するのに役立つように使用される、請求項６に記載の建築構造物。
【請求項８】
前記スライドシステムが、前記本体部から延びる２つの細長い水平な当接部の形態で提供される、請求項７に記載の建築構造物。
【請求項９】
前記スライドシステムが、前記建物モジュールを前記凹部内に案内するための案内構造を提供する、請求項７または８に記載の建築構造物。
【請求項１０】
前記取付設備が、前記建物モジュールを受け入れるための床凹部を提供するために前記床拡張部から取り外し可能な可脱部を含み、前記床凹部が前記建物モジュールの水平断面の少なくとも一部を受け入れるように構成される、請求項１〜９のいずれか一項に記載の建築構造物。
【請求項１１】
前記床凹部が、前記建物モジュールの前記水平断面の全体を受け入れるように構成される、請求項１０に記載の建築構造物。
【請求項１２】
前記可脱部が、異なる位置に他の床を提供するために使用されるように構成された床部を備える、請求項１０または１１に記載の建築構造物。
【請求項１３】
前記可脱部が、当該建築構造物内のベランダの使用のために構成された部分を備える、請求項１０〜１２のいずれか一項に記載の建築構造物。
【請求項１４】
端と端をつなげて配設されるように構成された２つのモジュラ建築構造物を含む、請求項１〜１３のいずれか一項に記載の建築構造物。
【請求項１５】
端と端をつなげて配設された複数の構造物とは対照的に、単一の一体型建築構造物を備える、請求項１〜１３のいずれか一項に記載の建築構造物。
【請求項１６】
床領域を提供するように構成された建築構造物を準備するステップと；前記床領域の設備を使用して建物モジュールを受け入れるステップと；前記建物モジュールが前記建築構造物の前記床領域の一部を提供するように前記建物モジュールを配置するステップとを含む、建築方法。
【請求項１７】
前記床領域が、前記建築構造物の基部により、また前記基部から複数の床拡張部を延ばすステップにより提供される、請求項１６に記載の方法。
【請求項１８】
前記建築構造物の前記基部から前記床拡張部を延ばすステップが、前記床拡長部を垂直方向に延びる位置から水平方向に延びる位置に移動させるステップを含む、請求項１６または１７に記載の方法。
【請求項１９】
前記建物モジュールを配置するステップが、前記建物モジュールを収容するための凹部を前記床領域内に設けるために、前記床拡張部のうちの１つの可脱部を取り外すステップを含む、請求項１８に記載の方法。
【請求項２０】
前記建物モジュールを配置するステップが、前記凹部内に受け入れられるように前記建物モジュールを前記建築構造物の外側から前記建築構造物に向って摺動させるステップを含み、前記建物モジュールが、前記建築構造物の前記床領域の一部を提供する、請求項１９に記載の方法。
【請求項２１】
前記建物モジュールを、前記建築構造物の周縁部の外側に少なくとも部分的に配置された少なくとも１つの支持台上で摺動させる、請求項２０に記載の方法。
【請求項２２】
可搬型モジュールを提供する建築構造物であって、前記可搬型モジュールが、より大きな建築構造物内に設置するための台所設備または浴室設備を提供する、建築構造物。
【請求項２３】
前記可搬型モジュールが、シャーシと、前記シャーシに取り外し可能に取り付けられた２つのキャリア要素とを含み、前記キャリア要素が国際標準化機構の標準コーナを提供する、請求項２２に記載の建築構造物。
【請求項２４】
本体部と溝構造とを備える建築構造物であって、前記溝構造が可動ヒンジ部と溝部とを含み、前記可動ヒンジ部が屋根拡張部を前記本体部に取り付けるように構成され、前記可動ヒンジ部が、前記屋根拡張部に落下した水が前記屋根拡張部に沿って下方に流れ前記溝部内に流入するように、前記屋根拡張部を前記溝部に隣接する位置で前記本体部に対してある角度で傾斜させることができるように可動である、建築構造物。
【請求項２５】
前記溝構造が、第１側面部および第２側面部を有する細長い流路を提供し、前記第１側面部が前記本体部の長手方向に沿って延びるように構成され、前記第２側面部が前記屋根拡張部の縁部に沿って延びるように構成される、請求項２４に記載の建築構造物。
【請求項２６】
前記溝構造が、輸送状態において、前記本体部の細長い側面に設けられ、前記建築構造物が国際標準化機構の輸送認証規格を満たす、請求項２４または２５に記載の建築構造物。
【請求項２７】
前記溝部が、前記屋根拡張部と前記本体部の残部との間に位置するＵ字型の流路部として設けられ、前記流路の構成によって前記流路部が容易に洗浄可能である、請求項２４、２５または２６に記載の建築構造物。
【請求項２８】
前記ヒンジ部が、前記溝部に連結するための第１リーフと、前記屋根拡張部に連結するための第２リーフとを有する細長い突合せヒンジを備える、請求項２４〜２７のいずれか一項に記載の建物。
【請求項２９】
前記本体部が、傾斜した上部を提供し、前記上部に落下する水を前記溝部内に流入させる、請求項２４〜２８のいずれか一項に記載の建築構造物。
【請求項３０】
輸送状態から拡張状態に揺動させ床領域を提供することができる床拡張部を含む、請求項２４〜２９のいずれか一項に記載の建築構造物。
【請求項３１】
前記本体部から延び床領域を提供するように構成された床拡張部を含み、前記床拡張部の幅が、前記本体部の主要部の高さとほぼ同じかまたはそれよりも小さく、前記溝構造の前記ヒンジ部が、前記主要部の前記高さよりも前記屋根拡張部が実質的に幅広であり、所望の開放感および快適性を提供することを可能にする、請求項２４〜３０のいずれか一項に記載の建築構造物。
【請求項３２】
前記溝構造から雨水を捕捉できるようにする雨水構造を含む、請求項２４〜３１のいずれか一項に記載の建築構造物。
【請求項３３】
国際標準化機構の認証を取得した輸送コンテナを備える、請求項２４〜３２のいずれか一項に記載の建築構造物。
【請求項３４】
輸送コンテナとしての輸送に適した箱形態の本体部を有する建築構造物であって、前記本体部が、少なくとも２つの細長い上部外縁部を有する上部構造を有し、前記２つの細長い上縁部のうちの少なくとも一方に沿ってかつその内方に溝構造が配置される、建築構造物。
【請求項３５】
溝構造が、水が流れるように前記上部構造に流路を提供するための溝部と、屋根拡張部を前記本体部に対してある角度で取り付けるための可動ヒンジとを含む、請求項３４に記載の建築構造物。
【請求項３６】
上部構造および下部構造を有する本体部を備え、前記下部構造が少なくとも１つの水室を提供するように構成され、前記少なくとも１つの水室が、空の状態にされ、浸水状態において前記本体部を持ち上げるのに十分な浮力を前記下部構造に与える、建築構造物。
【請求項３７】
前記少なくとも１つの水室が、前記水室を貫通して延びる複数の基礎を収容し、かつ国際標準化機構により認証された２つのコンテナを使用した住居の形成を可能にするように構成される、請求項３６に記載の建築構造物。
【請求項３８】
前記少なくとも１つの水室が、前記下部構造内に収められるように構成された対称構造を備え、前記対称構造が前記本体部の境界の周辺に延在する、請求項３６または３７に記載の建築構造物。
【請求項３９】
浸水状態の間、前記本体部を上下に案内する垂直案内システムを含む、請求項３４〜３８のいずれか一項に記載の建築構造物。
【請求項４０】
前記垂直案内システムが、前記浸水状態の間に前記本体部を案内するフレームを提供するように構成された４つの案内部材を備える、請求項３９に記載の建築構造物。
【請求項４１】
前記４つの案内部材がピラーを備える、請求項４０に記載の建築構造物。
【請求項４２】
少なくとも１つのモジュールであって、前記モジュールまたは各モジュールが、輸送状態にあるときに、国際標準化機構の輸送コンテナとして提供されるように構成され；前記少なくとも１つのモジュールが、前記輸送状態にあるときに、前記モジュールの組み合わされた水平領域の少なくとも２．５倍の床領域を有する建物本体を提供するように構成された、モジュールと；前記建物本体が異なる現場の向きおよびその他の条件に適した異なるファサードレイアウトを備えることを可能にする複数の交換可能なパネルを備えるパネルシステムとを備える、建築構造物。
【請求項４３】
建物本体が、前記輸送状態にあるときに、前記モジュールまたは各モジュールの側部の一部を形成する床部を含み、前記床部が前記建物本体内の前記床領域の少なくとも一部を形成し、前記交換可能なパネルが、前記異なるファサードレイアウトを提供するために前記床領域に対して配置可能である、請求項４２に記載の建築構造物。
【請求項４４】
前記パネルシステムが、壁パネルと、高窓パネルと、中窓パネルと、全面窓パネルと、ドアパネルと、引き違い窓パネルとを含み、前記引き違い窓がダブルパネルとして提供される、請求項４３に記載の建築構造物。
【請求項４５】
前記パネルシステムの各パネルが、２つのパネルの幅である前記引き違い窓パネルを除いて、同じ幅である、請求項４３に記載の建築構造物。
【請求項４６】
本体部とパネルシステムとを備える建築構造物であって、前記パネルシステムが、異なる現場の向きおよび条件に建物を構成させるために、前記本体部が異なるファサードレイアウトを備えるように配設され得る、複数の交換可能なパネルを備える、建築構造物。
【請求項４７】
建物を提供するための建築構造物であって、本体部と、床拡張部と、可動ヒンジ部とを備え、前記ヒンジ部が、前記床拡張部が折畳状態と拡張状態との間で移動可能であるように前記床拡張部を前記本体部の下端部に取り付け、前記折畳状態では、前記床拡張部が、国際標準化機構の輸送認証を取得した当該建築構造物の少なくとも一部を提供する当該建築構造物の側壁を提供し；さらに、当該建築構造物が、前記床拡張部を前記拡張状態に移動させた後に前記建物に取り付けられる屋根拡張部を備え、前記床拡張部が、前記屋根拡張部と比較して大きな重量である、建築構造物。
【請求項４８】
建築構造物を準備するステップと；国際標準化機構の輸送コンテナとしての前記建物の少なくとも一部を提供する側壁として設けられた、かなりの重量である床拡張部を外側に揺動させるステップと；次に、相対的に軽量である屋根拡張部を前記建築構造物に取り付けるステップとを含む、建築方法。
【請求項４９】
前記建物で使用する外壁パネルと同じ幅の屋根パネルの形態の前記屋根拡張部を準備するステップを含む、請求項４８に記載の方法。
【請求項５０】
建築構造物を準備するステップと；前記建築構造物の本体に対して屋根拡張部および床拡張部を配置するステップと、浸水状態の間に前記建築構造物を持ち上げるのに役立つ浮揚構造を前記床拡張部の下に設けるステップとを含む、建築方法。
【請求項５１】
建築構造物を準備するステップと；前記建築構造物の本体に対して屋根拡張部および床拡張部を配置するステップと；前記屋根拡張部に落下した水が前記屋根拡張部に沿って下方に流れて溝構造の溝部内に流入するように、前記溝構造のヒンジを使用して前記建築構造物の前記本体に対して前記屋根拡張部を傾斜状態で配置するステップとを含む、建築方法。
【請求項５２】
前記建築構造物に比較的高い熱質量を与えるために、前記建築構造物内に集水するステップを含む、請求項５１に記載の方法。
【請求項５３】
基部と、前記基部の上方で支持される屋根とを備える、建物用のユニット。
【請求項５４】
折畳モードおよび拡張モードを有する屋根拡張部であって、前記折畳モードでは、前記屋根拡張部の表面が当該ユニットの外側面を成し、また前記拡張モードでは、前記屋根拡張部が前記屋根の拡張部を成す、屋根拡張部を備える、請求項５３に記載のユニット。
【請求項５５】
前記拡張モードの前記屋根拡張部が、前記折畳モードの前記屋根拡張部に対して５０〜１３５°の角度を成す、請求項５４に記載のユニット。
【請求項５６】
前記屋根拡張部が、前記屋根に隣接する近位端部と、前記拡張モードでは、前記近位縁部よりも上方に持ち上げられる遠位縁部とを有する、請求項５４または５５に記載のユニット。
【請求項５７】
前記屋根拡張部はまた、前記屋根拡張部の前記遠位縁部が前記屋根よりも上に位置する上昇モードを有する、先の請求項５３〜５６のいずれか一項に記載のユニット。
【請求項５８】
前記上昇モードの前記屋根拡張部が、前記折畳モードの前記屋根拡張部に対して１８０〜２７０°の角度を成す、請求項５７に記載のユニット。
【請求項５９】
前記屋根拡張部が２つの屋根拡張部のうちの１つであり、前記上昇モードでは、前記２つの屋根拡張部のそれぞれの遠位縁部が一緒にされる、請求項５７または５８に記載のユニット。
【請求項６０】
前記折畳モードでは、前記屋根拡張部が前記基部と前記屋根との間に少なくとも部分的に延びる、請求項５４〜５９のいずれか一項に記載のユニット。
【請求項６１】
前記屋根拡張部が、前記折畳モードにあるときに、前記基部と前記屋根との間に延びる、請求項６０に記載のユニット。
【請求項６２】
前記屋根拡張部が、前記屋根に枢動可能に取り付けられる、請求項５４〜６１のいずれか一項に記載のユニット。
【請求項６３】
前記屋根拡張部を前記屋根の上方または下方に揺動させることができるように、前記屋根拡張部が、ヒンジを介して前記屋根に取り付けられる、請求項５５〜６１のいずれか一項に記載のユニット。
【請求項６４】
前記屋根拡張部を、前記折畳モードと前記拡張モードと前記上昇モードとの間で前記ヒンジを中心に揺動させる、請求項５７〜６３のいずれか一項に記載のユニット。
【請求項６５】
前記ヒンジが２以上の自由度を有する、請求項６３または６４に記載のユニット。
【請求項６６】
前記ヒンジがダブルヒンジである、請求項６５に記載のユニット。
【請求項６７】
前記屋根拡張部が、少なくとも１つの太陽熱集熱器を受け入れるように構成される、請求項６４〜６６のいずれか一項に記載のユニット。
【請求項６８】
前記屋根と前記屋根拡張部との間の境界の少なくとも一部に配置された防水材料を備える、請求項５４〜６７のいずれか一項に記載のユニット。
【請求項６９】
折畳モードおよび拡張モードを有する基部拡張部を備え、前記折畳モードでは、前記基部拡張部が前記基部と前記屋根との間に少なくとも部分的に延び、また前記拡張モードでは、前記基部拡張部が前記基部の拡張部を成す、請求項５４〜６８のいずれか一項に記載のユニット。
【請求項７０】
前記折畳モードにあるときの前記基部拡張部が、前記基部と前記屋根との間に部分的にのみ延びる、請求項６９に記載のユニット。
【請求項７１】
前記基部拡張部が、前記基部に隣接する近位縁部と遠位縁部とを有し、前記遠位縁部が、パネルのそれぞれの縁部を受け入れるように構成される、請求項６９または７０に記載のユニット。
【請求項７２】
前記遠位縁部が、１対の協働要素により前記パネルに係合するように構成され、前記１対の要素の各々が前記遠位縁部と前記パネルのうちの１つにそれぞれ位置する、請求項７１に記載のユニット。
【請求項７３】
前記協働要素が、対応する凹部内に位置するように構成されたピンを備える、請求項７２に記載のユニット。
【請求項７４】
前記協働要素が、対応するスロット内に位置するように構成された突出リブを備えることができる、請求項７２に記載のユニット。
【請求項７５】
前記パネルが、窓、壁パネルおよびドアのうちの少なくとも１つを備える、請求項７１〜７５に記載のユニット。
【請求項７６】
前記屋根が、前記基部と前記屋根との間に延びる複数の支柱により前記基部の上方で支持される、請求項５３〜７５のいずれか一項に記載のユニット。
【請求項７７】
各支柱が、前記基部のそれぞれのコーナからずらされる、請求項７６に記載のユニット。
【請求項７８】
前記支柱の各々が鋼管から成る、請求項７６または７７に記載のユニット。
【請求項７９】
前記基部拡張部および前記屋根拡張部がそれぞれの折畳モードにあるときに、前記屋根拡張部が、当該ユニットの外側面を形成し、前記外側面の裏側に前記基部拡張部が配置される、請求項６９〜７８のいずれか一項に記載のユニット。
【請求項８０】
前記基部拡張部が、前記拡張モードにあるときに、複数の柱により支持されるように構成される、請求項６９〜７９のいずれか一項に記載のユニット。
【請求項８１】
当該ユニットの１つまたは複数の寸法が、輸送コンテナの寸法と同等である、請求項６１〜８０のいずれか一項に記載のユニット。
【請求項８２】
前記屋根拡張部および前記基部拡張部がそれぞれの折畳モードにあるときに、当該ユニットが、輸送コンテナの寸法を有する、請求項７２に記載のユニット。
【請求項８３】
前記輸送コンテナが、国際標準化機構の輸送コンテナである、請求項６１または８２に記載のユニット。
【請求項８４】
前記国際規格化機構の輸送コンテナが、ハイキューブ輸送コンテナである、請求項８３に記載のユニット。
【請求項８５】
１つまたは複数のサービスを受け入れるように構成される、請求項５３〜８４のいずれか一項に記載のユニット。
【請求項８６】
前記１つまたは複数のサービスのための導管を備える、請求項８５に記載のユニット。
【請求項８７】
前記少なくとも１つのサービスが、水道サービス、ガスサービス、電力サービス、通信サービスおよび下水道サービスのうちの１つまたは複数を含み得る、請求項８５または８６に記載のユニット。
【請求項８８】
開放した両側の端部を備える、請求項５３〜８７のいずれか一項に記載のユニット。
【請求項８９】
前記端部がキャップで蓋をされる、請求項５３〜８８のいずれか一項に記載のユニット。
【請求項９０】
複数の柱の上に支持されるように構成される、請求項５３〜８９のいずれか一項に記載のユニット。
【請求項９１】
輸送コンテナと同等の寸法を有するサブユニットを内部に受け入れるように構成される、請求項５９〜９０のいずれか一項に記載のユニット。
【請求項９２】
前記サブユニットが、ハイキューブ型でない輸送コンテナの外形寸法を有する、請求項９１に記載のユニット。
【請求項９３】
請求項５３〜９２のいずれか一項に記載のユニットにより受け入れられるように構成されたサブユニット。
【請求項９４】
ドアを備える、請求項９３に記載のサブユニット。
【請求項９５】
１つまたは複数のサービスを備える、請求項９３または９４に記載のサブユニット。
【請求項９６】
浴室を備える、請求項９５に記載のサブユニット。
【請求項９７】
台所を備える、請求項９５または９６に記載のサブユニット。
【請求項９８】
熱質量を収容するように構成された容器を備える、請求項９３〜９７のいずれか一項に記載のサブユニット。
【請求項９９】
前記容器が貯水タンクである、請求項９８に記載のサブユニット。
【請求項１００】
建物を組み立てる方法であって、前記屋根拡張部が折畳モードにある状態の請求項５３〜６５のいずれか一項に記載のユニットを準備するステップと、前記屋根拡張部が前記それぞれの拡張モードを取るようにするステップとを含む、方法。
【請求項１０１】
前記屋根拡張部が上昇モードを取るようにするステップを含む、請求項１００に記載の方法。
【請求項１０２】
前記基部拡張が前記それぞれの拡張モードを取るようにするステップと、前記基部拡張部が前記拡張モードを取るようにされた後に、前記基部拡張部の遠位縁部がパネルを受け入れるようにするステップとをさらに含む、請求項１００に記載の方法。
【請求項１０３】
前記屋根拡張部と前記基部拡張部との間に１つまたは複数の支柱を配置するステップを含む、請求項１０２に記載の方法。
【請求項１０４】
複数の柱の上に前記ユニットを配置するステップを含む、請求項１００〜１０３のいずれか一項に記載の方法。
【請求項１０５】
前記複数の柱を設置するステップを含む、請求項１０４に記載の方法。
【請求項１０６】
前記ユニット内にサブユニットを配置するステップを含む、請求項１００〜１０５のいずれか一項に記載の方法。
【請求項１０７】
前記サブユニットが浴室および／または台所を備える、請求項１０６に記載の方法。
【請求項１０８】
前記屋根拡張部がそれぞれの拡張モードを取るようにするステップが、前記基部拡張部がそれぞれの拡張モードを取るようにするステップの前に行われる、請求項１００〜１０７のいずれか一項に記載の方法。
【請求項１０９】
組立ての際に、熱質量を収容するように構成された容器を前記建物内に配置するステップを含む、建物を建造する方法。
【請求項１１０】
前記容器が、前記建物内に配置されるときに空の状態である、請求項１０９に記載の方法。
【請求項１１１】
容器内に前記熱質量を配置するステップを含む、請求項１１０に記載の方法。
【請求項１１２】
前記容器が、水を保持するように構成され、前記容器内に前記熱質量を配置するステップが、前記タンクに水を充填するステップを含む、請求項１１１に記載の方法。
【請求項１１３】
前記容器が、請求項９３〜９９のいずれか一項に記載のサブユニットの一部であり、前記建物内に前記容器を配置するステップが、前記建物内に前記サブユニットを配置するステップを含む、請求項１０９〜１１２のいずれか一項に記載の方法。
【請求項１１４】
請求項４２〜８２のいずれか一項に記載のユニットを準備し、かつ前記ユニットを拡張するステップを含む、請求項１０９〜１１３のいずれか一項に記載の方法。
【請求項１１５】
建物用の外装パネルであって、第１端部と、前記第１端部から離隔された第２端部と、前記端部のうちの一方に取り付けられかつ建物の基部および建物の基部の拡張部のいずれか１つの縁部に係合するように構成されたフランジとを備える外装パネル。
【請求項１１６】
前記フランジが、外装表面となるように構成された表面を有する、請求項１１５に記載のパネル。
【請求項１１７】
前記フランジが、前記端部のうちの一方の表面と実質的に同一平面にある、請求項１１５に記載のパネル。
【請求項１１８】
前記フランジが断熱材を備える、請求項１１５に記載のパネル。
【請求項１１９】
前記パネルが、１対の協働要素により前記建物に係合するように構成され、前記１対の要素の各々が前記建物および前記パネルのうちの１つにそれぞれ位置する、請求項１１５〜１１８のいずれか一項に記載のパネル。
【請求項１２０】
前記端部間に配置された表面と、前記フランジの真後ろのコーナであって、前記建物の縁部を受け入れるように構成されたコーナとを備え、前記フランジが、前記端部のうちの一方に取り付けられかつ前記端部間に配置された前記表面と平行である、請求項１１５〜１１９のいずれか一項に記載のパネル。
【請求項１２１】
前記フランジが、前記縁部を隠すように構成される、請求項１２０に記載のパネル。
【請求項１２２】
材料の第１シートおよび第２シートと；前記第１シートおよび前記第２シートに取り付けられ拡張モードおよび折畳モードを有する構造体とを備え、前記シートが、前記構造体が前記拡張モードよりも前記折畳モードにあるときに、相対的に近接する、折畳可能な壁。
【請求項１２３】
前記構造体がヒンジを備える、請求項１２２に記載の折畳可能な壁。
【請求項１２４】
前記構造体がダブルヒンジを備える、請求項１２２または１２３に記載の折畳可能な壁。
【請求項１２５】
前記ヒンジが、第１リーフと第２リーフとを備え、前記第１リーフが前記第１シートに取り付けられ、前記第２リーフが前記第２シートに取り付けられる、請求項１２３または１２４に記載の折畳可能な壁。
【請求項１２６】
前記構造体が前記シート間に位置する、請求項１２２〜１２５のいずれか一項に記載の折畳可能な壁。
【請求項１２７】
建物用のユニットであって、基部と；前記基部の上方で支持される屋根と；折畳モードおよび拡張モードを有する屋根拡張部であって、前記折畳モードでは、前記屋根拡張部の表面が当該ユニットの外面を成し、また前記拡張モードでは、前記屋根拡張部が前記屋根の拡張部を成し、前記屋根拡張部が、前記屋根に隣接する近位縁部と、前記拡張モードでは、前記近位縁部よりも上方に持ち上げられる遠位端部とを有する、屋根拡張部とを備える、建物用のユニット。
【請求項１２８】
折畳モードおよび拡張モードを有する基部拡張部を備え、前記折畳モードでは、前記基部拡張部が前記基部と前記屋根との間に少なくとも部分的に延び、また前記拡張モードでは、前記基部拡張部が前記基部の拡張部を成す、請求項１２７に記載のユニット。
【請求項１２９】
前記屋根拡張部はまた、前記屋根拡張部の前記遠位縁部が前記屋根よりも上に位置する上昇モードを有する、請求項１２７または１２８に記載のユニット。
【請求項１３０】
基部と；前記基部の上方で支持される屋根と；折畳モードおよび拡張モードを有する屋根拡張部であって、前記折畳モードでは、前記屋根拡張部の表面がユニットの外面を成し、また前記拡張モードでは、前記屋根拡張部が前記屋根の拡張部を成す、屋根拡張部とを備える、改良された輸送コンテナ。
【請求項１３１】
前記屋根拡張部が、前記屋根に隣接する近位端部と、前記拡張モードでは、前記近位縁部よりも上方に持ち上げられる遠位縁部とを有する、請求項１３０に記載のユニット。
【請求項１３２】
添付図面を参照して本明細書に実質的に記載されている建築構造物。
【請求項１３３】
添付図面を参照して本明細書に実質的に記載されている方法。
【発明の詳細な説明】
【技術分野】
【０００１】
本発明は、建築構造物に関する。本発明の一形態において、国際標準化機構（ＩＳＯ：International  Organization  for  Standardization）の標準輸送コンテナとして輸送するためのプレハブ式建物ユニットが提供される。
【背景技術】
【０００２】
値段が手頃で持続可能な量産型の建物および住宅が必要とされている。例えば、家屋を建造する現在の技術は、典型的には非常に手作業的であり、かつ費用がかかる。典型的な家屋の大部分は現場で建築される。家屋を建造して、必要なサービスに接続するには熟練した労働力が必要になる。さらに、家屋を建造するにはかなりの時間（典型的には何カ月もの時間）がかかる。
【０００３】
この背景ならびに問題およびそれに関連する困難さを踏まえて、本発明が開発された。
【発明の概要】
【課題を解決するための手段】
【０００４】
本明細書に記載の好ましい実施形態の第１態様によれば、本体部を備える建築構造物であって、本体部が、本体部から延び床領域を提供する床拡張部を有し、床拡張部が建物モジュールを受け入れるための取付設備を含む、建築構造物が提供される。
【０００５】
本明細書に記載の好ましい実施形態の第２態様によれば、輸送コンテナとしての輸送に適した箱形態の本体部を有する建築構造物であって、本体部が、少なくとも２つの細長い上部外縁部を有する上部構造を有し、２つの細長い上縁部の少なくとも一方に沿ってかつその内方に溝（樋）構造が配置される、建築構造物が提供される。
【０００６】
本明細書に記載の好ましい実施形態の第３態様によれば、本体部と溝構造とを備える建築構造物であって、溝構造が可動ヒンジ部と溝部とを含み、可動ヒンジ部が屋根拡張部を本体部に取り付けるように構成され、可動ヒンジ部が、屋根拡張部に落下した水が屋根拡張部に沿って下方に流れて溝部内に流入するように、屋根拡張部を溝部に隣接する位置で本体部に対してある角度で傾斜させることができるように可動である、建築構造物が提供される。
【０００７】
本明細書に記載の好ましい実施形態の第４態様によれば、上部構造および下部構造を有する本体部を備え、下部構造が少なくとも１つの水室を提供するように構成され、少なくとも１つの水室が、空の状態にされ、浸水状態において本体部を持ち上げるのに十分な浮力を下部構造に与えるように構成される、建築構造物が提供される。
【０００８】
本明細書に記載の好ましい実施形態の第５態様によれば、少なくとも１つのモジュールであって、モジュールまたは各モジュールが、輸送状態にあるときに、国際標準化機構の輸送コンテナとして提供されるように構成され；少なくとも１つのモジュールが、輸送状態にあるときに、モジュールの組み合わされた水平領域の少なくとも２．５倍の床領域を有する建物本体を提供するように構成されたモジュールと；建物本体が異なる現場の向きおよびその他の条件に適した異なるファサードレイアウトを備えることを可能にする、複数の交換可能なパネルを備えるパネルシステムとを備える、建築構造物が提供される。
【０００９】
本明細書に記載の好ましい実施形態の第６態様によれば、本体部と、パネルシステムとを備える建築構造物であって、パネルシステムが、異なる現場の向きおよび条件に建物を構成させるために、本体部が異なるファサードレイアウトを備えるように配設され得る、複数の交換可能なパネルを備える、建築構造物が提供される。
【００１０】
本明細書に記載の好ましい実施形態の第７態様によれば、建物を提供するための建築構造物であって、本体部と、床拡張部と、可動ヒンジ部とを備え、ヒンジ部が、床拡張部が折畳状態と拡張状態との間で移動可能であるように床拡張部を本体部の下端部に取り付けさせ、折畳状態では、床拡張部が国際標準化機構の輸送認証を取得した建築構造物の少なくとも一部を提供する建築構造物の側壁を提供し；さらに、建築構造物が、床拡張部を拡張状態に移動させた後に建築構造物に取り付けられる屋根拡張部を備え、床拡張部が、屋根拡張部と比較して大きな重量である、建築構造物が提供される。
【００１１】
本明細書に記載の好ましい実施形態の第８態様によれば、建築構造物を準備することと；国際標準化機構の輸送コンテナとしての建築構造物の少なくとも一部を提供する側壁として設けられた、かなりの重量である床拡張部を外側に揺動させることと；次に、相対的に軽量である屋根拡張部を建築構造物に取り付けることとを含む、建築方法が提供される。
【００１２】
本明細書に記載の好ましい実施形態の第９態様によれば、建築構造物を準備することと；建築構造物の本体に対して屋根拡張部および床拡張部を配置することと、浸水状態の間に建物を持ち上げるのに役立つ浮揚構造を床拡張部の下に提供することとを含む、建築方法が提供される。
【００１３】
本明細書に記載の好ましい実施形態の第１０態様によれば、建築構造物を準備することと；床拡張部を延ばして拡張された床領域を提供することと；床拡張部の設備を使用して建物モジュールを受け入れることと；建物モジュールが建築構造物の床領域の一部を提供するように建物モジュールを配置することとを含む、建築方法が提供される。
【００１４】
本明細書に記載の好ましい実施形態の第１１態様によれば、建築構造物を準備することと；建築構造物の本体に対して屋根拡張部および床拡張部を配置することと；屋根拡張部に落下した水が屋根拡張部に沿って下方に流れて溝構造の溝部内に流入するように、溝構造のヒンジを使用して建築構造物の本体部に対して屋根拡張部を傾斜状態で配置することとを含む、建築方法が提供される。
【００１５】
本明細書に記載の好ましい実施形態の第１２態様によれば、建物用のユニットであって、基部と；基部の上方に支持される屋根とを備えるユニットが提供される。
【００１６】
本明細書に記載の好ましい実施形態の第１３態様によれば、より大きな建築構造物内に設置するための台所設備または浴室設備を提供する可搬型モジュールを提供する建築構造物が提供される。
【００１７】
以下で述べるように、好適に、以下を提供する本発明の多数の好ましい構成が存在すると考えられる。
（ｉ）建物の製造および設置が比較的容易である、プレハブ式のＩＳＯ標準コンテナモジュールを使用して建築される建物内において開放感および快適性の向上した部屋領域を提供する。
（ｉｉ）製造および設置が比較的容易であると同時に、好適な雨水捕捉能力および防水能力を有する、プレハブ式のＩＳＯ標準コンテナモジュールを使用して建築される建物を提供する。
（ｉｉｉ）建築の際に、コンテナが並べて配置されて好適な大きさの建物を提供し、かつ建物が建物モジュールを受け入れることができる、プレハブ式の折り畳み式の床拡張部を有するＩＳＯ標準コンテナモジュールを提供する。
（ｉｖ）結果的に床空間が３倍になるように平らにする（folded）ことができる床部を各々が備える１つまたは複数のコンテナを有するシステムを提供する。
（ｖ）プレハブ式のＩＳＯ標準コンテナモジュールを使用して建築される好適な浸水防護能力を備えた建物を提供する。
（ｖｉ）最終的な建物が異なる現場の向きおよびその他の条件に適した異なるファサードレイアウトを備えることを可能にする複数のパネルを有する少なくとも１つのＩＳＯの輸送コンテナモジュールから形成されるシステムを提供する。
（ｖｉｉ）好適な台所と浴室の取付設備およびモジュールを有するシステムおよび方法を提供する。
【００１８】
さらなる態様、利点および好ましい特徴は、図面、特許請求の範囲、および明細書全体を読むことにより明らかとなるであろう。
【００１９】
実施形態の各々が具体的に記載されていること、また、本発明が実施形態のいずれか１つの任意の特定の特徴または要素に限定されると解釈されるべきではないことを理解されたい。本発明は、多数の実施形態または実施形態との関連で記載された変形形態の任意の特徴に限定されると解釈されるべきでもない。建築構造物という用語は、可搬型モジュールおよび建築用組立体を包含すると理解されるべきである。
【００２０】
ここで、本発明のより良い理解を助けるために、以下の添付図面を参照しながら、いくつかの好ましい実施形態について説明する。
【図面の簡単な説明】
【００２１】
【図１】図１は、本発明の第１の好ましい実施形態による建築方法を図示する図を提供する。
【図２】図２は、本発明の第１の好ましい実施形態による建築方法を図示する図を提供する。
【図３】図３は、本発明の第１の好ましい実施形態による建築方法を図示する図を提供する。
【図４】図４は、本発明の第１の好ましい実施形態による建築方法を図示する図を提供する。
【図５】図５は、本発明の第１の好ましい実施形態による建築方法を図示する図を提供する。
【図６】図６は、本発明の第１の好ましい実施形態による建築方法を図示する図を提供する。
【図７】図７は、本発明の第１の好ましい実施形態による建築方法を図示する図を提供する。
【図８】図８は、本発明の第１の好ましい実施形態による建築方法を図示する図を提供する。
【図９】図９は、本発明の第１の好ましい実施形態による建築方法を図示する図を提供する。
【図１０】図１０は、本発明の別の好ましい実施形態による建築構造物のいくつかの図を提供する。
【図１１】図１１は、さらなる実施形態による完成した建築構造物であって、図１〜図９に図示した方法に従って提供される建築構造物を図示する。
【図１２】図１２は、さらなる実施形態による完成した建築構造物であって、図１〜図９に図示した方法に従って提供される建築構造物を図示する。
【図１３】図１３は、さらなる実施形態による完成した建築構造物であって、図１〜図９に図示した方法に従って提供される建築構造物を図示する。
【図１４】図１４は、さらなる実施形態による完成した建築構造物であって、図１〜図９に図示した方法に従って提供される建築構造物を図示する。
【図１５】図１５は、さらなる実施形態による完成した建築構造物であって、図１〜図９に図示した方法に従って提供される建築構造物を図示する。
【図１６】図１６は、さらなる実施形態による完成した建築構造物であって、図１〜図９に図示した方法に従って提供される建築構造物を図示する。
【図１７】図１７は、さらなる実施形態による完成した建築構造物であって、図１〜図９に図示した方法に従って提供される建築構造物を図示する。
【図１８】図１８は、本発明のさらに好ましい実施形態による別の建築構造物を図示する。
【図１９】図１８は、本発明のさらに好ましい実施形態による別の建築構造物を図示する。
【図２０ａ】図２０ａは、本発明のさらなる実施形態によるさらなるシステムおよび方法を図示する。
【図２０ｂ】図２０ｂは、本発明のさらなる実施形態によるさらなるシステムおよび方法を図示する。
【図２０ｃ】図２０ｃは、本発明のさらなる実施形態によるさらなるシステムおよび方法を図示する。
【図２０ｄ】図２０ｄは、本発明のさらなる実施形態によるさらなるシステムおよび方法を図示する。
【図２０ｅ】図２０ｅは、本発明のさらなる実施形態によるさらなるシステムおよび方法を図示する。
【図２０ｆ】図２０ｆは、本発明のさらなる実施形態によるさらなるシステムおよび方法を図示する。
【図２１】図２１は、本発明のさらに別の実施形態による台所・浴室モジュールを図示する。
【図２２】図２２は、本発明のさらに別の実施形態による台所・浴室モジュールを図示する。
【図２３】図２３は、本発明のさらに別の実施形態による台所・浴室モジュールを図示する。
【図２４】図２４は、本発明のさらに別の実施形態による建築構造物を図示する。
【図２５】図２５は、本発明のさらなる実施形態による建築構造物を図示する。
【図２６】図２６は、本発明のさらなる実施形態による建築構造物を図示する。
【図２７】図２７は、本発明のさらなる実施形態による建築構造物を図示する。
【図２８】図２８は、本発明のなおさらに好ましい実施形態を図示する。
【図２９】図２９は、本発明のなおさらに好ましい実施形態を図示する。
【図３０】図３０は、本発明のなおさらに好ましい実施形態を図示する。
【図３１】図３１は、本発明のなおさらに好ましい実施形態を図示する。
【図３２】図３２は、本発明のなおさらに好ましい実施形態を図示する。
【図３３】図３３は、本発明のなおさらに好ましい実施形態を図示する。
【図３４】図３４は、本発明のなおさらに好ましい実施形態を図示する。
【図３５】図３５は、本発明のなおさらに好ましい実施形態を図示する。
【図３６】図３６は、本発明のなおさらに好ましい実施形態を図示する。
【図３７】図３７は、本発明のなおさらに好ましい実施形態を図示する。
【図３８】図３８は、本発明のなおさらに好ましい実施形態を図示する。
【図３９】図３９は、本発明のなおさらに好ましい実施形態を図示する。
【図４０】図４０は、本発明のなおさらに好ましい実施形態を図示する。
【図４１】図４１は、本発明のなおさらに好ましい実施形態を図示する。
【図４２】図４２は、本発明のなおさらに好ましい実施形態を図示する。
【図４３】図４３は、本発明のなおさらに好ましい実施形態を図示する。
【図４４】図４４は、本発明のなおさらに好ましい実施形態を図示する。
【図４５】図４５は、本発明のなおさらに好ましい実施形態を図示する。
【発明を実施するための形態】
【００２２】
図１〜図９を参照すると、本発明の第１の好ましい実施形態による建築方法１０が示されている。詳細には、図３を参照すると、建築方法１０は、それら自体で本発明の好ましい実施形態を形成する２つの建築構造物１２を用いる。好適には、方法１０は、以下に述べるいくつかの好適な特徴を有する建物の迅速な建造を実現するものと考えられる。
【００２３】
図１に示すように、建築方法１０は、基礎配置１４を提供する。さらに詳細には、基礎配置１４において、方法１０は、複数の第１側基礎１６、複数の中間基礎１８、および複数の反対側基礎２０を提供する。１対の支持台２４の形態のスライド構造２２もまた提供される。
【００２４】
第１側基礎１６および反対側基礎２０は、第１列２８と、第２列３０と、第３列３２と、第４列３４とを含む複数の列２６を形成する。好適には、スライド構造２２は、第２列３０の一部を成す第１中間基礎３６および第２中間基礎３８を提供する。
【００２５】
中間基礎１８のうち、中間基礎４０は第２列３０の一部を成し、中間基礎４２は第３列３２の一部を成し、中間基礎４４は第４列３４の一部を成す。
【００２６】
図２に示すように、建築構造物の第１建築構造物１２は、（ｉ）第２列３０および第３列３２の第１側基礎１６；ならびに（ｉｉ）中間基礎４０および中間基礎４２の上に載置される。これはクレーンを使用して行われる。
【００２７】
第２建築構造物１２は、（ｉ）第２列３０および第３列３２の反対側基礎２０；ならびに（ｉｉ）中間基礎４０および中間基礎４２の上に載置される。中間基礎４０および中間基礎４２は、両方の建築構造物１２を好適に支持する「Ｔ型」基礎として提供される。方法１０において、建築構造物１２は、基礎にしっかりと固定される。
【００２８】
２つの建築構造物１２は、各々、ＩＳＯ輸送規格を満たすと認証された標準的なコンテナモジュール４６として提供される。標準モジュール４６の各々は、好適な溝構造５０を有する本体部４８を備える。
【００２９】
図４に示すように、各標準モジュール４６の溝構造５０は、可動ヒンジ部５２と溝部５４とを含む。図３に示すように、輸送のための折畳状態にあるときに、各溝構造５０は、各モジュール４６の下部５８に連結された複数の床拡張部５６により好適に保護される。実施形態において、床拡張部５６は、複数の突合せヒンジ６０により下部５８に連結される。
【００３０】
床拡張部５６は、外パネルの形態で提供され、方法１０においては、図５に示すように拡張されて床領域６２を形成する。床領域６２を提供するために、床拡張部５６の各々の頂部を、各モジュール４６の上部６４から離れる方向に揺動させる。床拡張部５６は、基礎１４の上に載せられ、しっかりと固定される。
【００３１】
図６〜図８は、各モジュール４６の本体部４８に屋根拡張部６６を取り付けるプロセスを図示する。モジュール４６の可動ヒンジ部５２は、本体部４８に取り付けられる屋根拡張部６６を形成するために、屋根パネルの形態の複数の屋根部品６８を取り付けられるように構成される。可動ヒンジ部５２は、図４に示す第１位置７０から図６に示す中間位置７２に移動することができる。方法１０において、屋根部品６８が全体構造の一方側から他方側に延びるように複数の屋根部品６８が、ヒンジ５２に沿って連続して取り付けられ、屋根拡張部６６を形成する。
【００３２】
好適には、実施形態において、床拡張部５６は、最終的な建物の基部に重量を与えるために、屋根拡張部６６と比較して相対的に大きな重量を有する。好適には、床拡張部５６は、コンクリート床が設けられる家屋と同様の安定感が得られる床領域を提供する。床拡張部５６を平坦化する（fold  down）ことにより、最初に最も重い部分が平坦化される。それから、屋根拡張部６６は、好適には、図示の中間位置７２で後に連結されるより軽い屋根部品で提供することができる。縦置き位置での組み立てにより、建物を組み立てる者が、完成した屋根拡張部６６の防水品質を好適に評価できるようにする。６つの屋根部品６８は、両側部において全体的な屋根拡張部を提供するために、輸送の際に構造物１２各々の内側に設けられる。
【００３３】
図７に戻ると、溝構造５０は、第１側面部７６と第２側面部７８とを有する細長い流路７４を提供する。第１側面部７６は本体部４８の長手方向に沿って延びるように構成され、第２側面部は屋根拡張部６６の縁部８０に沿って延びるように構成される。
【００３４】
方法１０において、図８に示すように、図６に示す中間位置７２から図８に示す傾斜位置８２に移動するヒンジ５２と共に、屋根拡張部６６を外側への揺動運動により移動させる。屋根拡張部６６が十分な高さまで持ち上げられたときに、従来の取付手段を使用して、複数の支持部材８４が、適所に設置されてしっかりと固定される。このプロセスは、同一の好適な鏡像対称の溝構造を有する各モジュール４６の反対側において繰り返され、図９に示す完全に拡張された建物構造８６を提供する。これが行われた後に、複数の支持ブラケット８８が取り外される。
【００３５】
ヒンジ部５２が、図３に示す垂直位置から、屋根拡張部が最終的に図８に示す傾斜位置８２に固定される、中間位置７２に移動可能であることを考慮すると、建物構造８６の形態および配置が好適であると考えられる。
【００３６】
説明しかつ図面に示すように、溝構造５０を設けることは、浸水に対して本体部４８を好適に保護し、かつプレハブ式の２つのモジュールコンテナシステムで好適に水を捕捉するのに役立つと考えられる。
【００３７】
図１０を参照すると、さらに好ましい実施形態による好適な建築構造物９０が示されている。建築構造物９０は、本体部９２と溝構造９４とを備える。溝構造９４は、可動ヒンジ部９６と溝部９８とを含む。可動ヒンジ部９６は、本体部９２に屋根拡張部１００を取り付けられるように構成される。可動ヒンジ部９６は、溝部９８に隣接する位置にある本体部９２に対して屋根拡張部１００を上向きの角度で傾斜させることができるように移動可能である。そのようなものとして、水が屋根拡張部１００に落下すると、重力作用によって、水を屋根拡張部１００に沿って下方に流れさせ、溝部９８内に流入させる。
【００３８】
溝構造９４は、第１側面部１０４と第２側面部１０６とを有する細長い流路１０２として提供される。第１側面部１０４は本体部９２の長手方向に沿って延びるように構成され、第２側面部１０６は屋根拡張部１００の縁部１０８に沿って延びるように構成される。
【００３９】
実施形態において、溝構造９４は建築構造物９０の第１側１１０に設けられ、「鏡像対称の」溝構造１１２は反対側１１４に設けられる。溝構造９４および溝構造１１２は、溝構造１１６全体を形成する。
【００４０】
輸送状態にあるときに、溝構造９４と溝構造１１２両方は、２つの床拡張部１１８の形態の、本体部９２の細長い側面パネルにより好適に保護される。２つの床拡張部１１８は、輸送状態において、例えばフォークリフトにより生じ得る横方向の損傷から溝構造９４および溝構造１１２を保護するために上方に延びる。
【００４１】
図１０に示すように、溝部９８は、屋根拡張部１００と本体部９２の残部との間に位置するＵ字型流路部１２０として設けられる。流路部１２０が通常サイズの溝であるため、流路部１２０を、好適には、梯子および従来の伸縮式溝清掃具を使用して簡単に掃除することができる。
【００４２】
溝構造９４において、ヒンジ部９６は、図示のように、溝部９８に連結するための第１リーフ１２４と、屋根拡張部１００に連結するための第２リーフ１２６とを有する細長い突合せヒンジ１２２を備える。当然のことながら、様々なヒンジ構造および連結構造が可能である。
【００４３】
本体部９２は、傾斜した上部１２８に落下する水を溝構造９４内に流入させるための若干傾斜した上部１２８を有する。実施形態において、上部１２８は、若干凸状であることにより傾斜している。
【００４４】
既に述べたように、建築構造物９０の各側面には、本体部９２の下部から延び、床領域を提供するように構成された細長い床拡張部１１８が設けられる。床拡張部１１８は、輸送のために適所に掛止される。床拡張部は、輸送の際に強度をもたらすために、本体部９２の中央主要部１３２を若干越えて延びる。各細長い床拡張部１１８の幅（上下方向の高さ）は、本体部９２の主要部１３２の高さよりもわずかに大きいだけである。
【００４５】
好適には、溝構造９４のヒンジ部９６は、屋根拡張部１００が本体部９２の高さよりも実質的に幅広であることを可能にし、建物が組み立てられたときに、所望の開放感および快適性がもたらされる。
【００４６】
実施形態は、輸送コンテナとしての輸送に適した箱構成の本体部９２を有する建築構造物９０を提供するものと考えられる。床拡張部１１８は、床拡張部１１８により提供される少なくとも２つの細長い上部外縁部１３４を有する上部構造であって、溝構造９４および溝構造１１２がそれら上部外縁部１３４の内方に配置された上部構造を提供する。溝構造は、外縁部１３４に沿って延び、水が流れるように上部に流路１２０を提供する。建築構造物９０は、上に述べた理由から好適であると考えられる。
【００４７】
図１１に目を向けると、方法１０によって設けられた建築構造物１３６が全体的に示されている。建築構造物１３６は、ＩＳＯ認証輸送コンテナとして輸送されるように構成された２つのモジュラ建築構造物１３８を備える。
【００４８】
モジュラ建築構造物１３８の各々は、それぞれの本体部１４０の下部に枢動可能に取り付けられた床拡張部１４２を有する本体部１４０を含む。他の実施形態において、枢動取り付けを行わなくてもよく、床拡張部１４２は、下降中の各床拡張部１４２の下縁部を拘束するために使用する例えばストラップおよび鎖により手作業で配置されることができる。特に、手動の配置システムでは、一体の枢軸なしに、床拡張部が、輸送の際に建築構造物１３８のメインシャーシの両側部に垂直に取り付けられることもまた好ましい。図１８〜図１９を参照しながら、以下にさらに詳細に述べるように、これは、ボルト締めシステムにより好適に達成することができる。
【００４９】
図１１の実施形態に戻ると、各床拡張部１４２は、本体部１４０から延び床領域１４４を提供するように構成される。図示のように、両拡張部１４２が共に提供する床領域１４４は、全床領域の約２／３である。
【００５０】
さらに、各床拡張部１４２は、台所または浴室モジュール１５０（図１３参照）の形態の建物モジュール１４８を受け入れるための取付設備１４６を含む。建築構造物１３８は、取付設備１４６が各対応する建築構造物１３８のコーナに設けられた鏡像対称として提供される。鏡像対称として提供されることにより、これは、それらの取付設備１４６が、建築構造物１３６の全体において中央の取付設備を提供することを意味する。
【００５１】
図１１〜図１３を参照すると、各取付設備１４６は、建物モジュール１４８（図１３参照）の対応する半部を受け入れるための床凹部１５４（図１２参照）を提供するために、それぞれの床拡張部１４２から取り外し可能な可脱部１５２を備える。
【００５２】
図に示すように、それらの凹部１５４は、建築構造物１３６の横外側縁部に共に配置され、かつ中央に配置される。建築構造物１３８の各々は、建物モジュール１４８の水平断面の半部のみを受け入れる凹部を提供する一方で、建築構造物１３６全体の凹部１５６は、（水平面において）建物モジュールの全断面を受け入れる。これは図１２に図示されている。凹部１５６は、それぞれの床拡張部１４２の約半部を各々形成する中央パネルを取り外すことにより設けられる。
【００５３】
建物モジュール１４８を設置する前に、多数の貯水タンク１５８が、建築構造物１３６の中央に設けられる。これは図１４に図示されている。
【００５４】
図１５に示すように、建物モジュール１４８の迅速な配置を可能にするように構成されたスライドシステム１６０が提供される。スライドシステム１６０は、建物モジュール１４８を、支持台上に載置しかつ全建築構造物１３６の凹部１５６内に摺動させることを可能にする、間隔をおいて位置する２つの支持台を備える。図示のように、支持台は建築構造物１３６から垂直に延びる。支持台は、比較的正確に配置される場合には、ガイドとして使用することもできる。実施形態において、可脱部１５２は、好適には、ベランダの形態のさらなる床を提供するために使用される。
【００５５】
図１５〜図１７に示すように、建物モジュール１４８は、家屋の外側の支持台上に載置される。モジュールの端部キャップが取り外され、モジュールを支持台に沿って設置位置に摺動させる。次に、内壁パネルおよび外壁パネルが設置され得る。
【００５６】
実施形態において、建物モジュールは、台所／浴室モジュールを備える。各床拡張部は、輸送状態にあるときには垂直方向に取り付けられ、その後、水平方向に配置されて床領域を提供するように構成される。可脱部は、凹部が、取り外し時に比較的中央に設けられ、矩形に構成された凹部／取付設備の床を収容するように、床拡張部の上部コーナに隣接して設けられる。可脱部が好ましいが、当然のことながら、台所／浴室モジュールの組み込みを可能にする他の取付構造も可能である。設けられた凹部全体が建物モジュールの全床領域を受け入れる。
【００５７】
図１８を参照すると、本発明のさらなる実施形態が示されている。実施形態は、好適には一体型の４０フィートのＩＳＯ標準輸送コンテナとして提供される単一の４０フィートの建物ユニット１３９を備える。複数の床拡張部１４１は、メインシャーシ１４３にボルト締めされる。ボルト締めは、頂縁部１４７および底縁部１４９に沿って行われる。好適には、実施形態において、頂部および底部の隅金具を含む建物ユニット１３９の完全な側部は、床拡張部１４１の単一の溶接フレームを備える。これは、図１８に図示されており、好適な強度をもたらす。
【００５８】
追加的に、図１９は、輸送の間、床拡張部１４１をメインシャーシ１４３に固定するために用いられるボルト１５１および取付部１５３の使用を図示する。取付部は、ボルト１５１の反対側の端部をしっかりと固定するために用いられるナットに容易にアクセスできるように開放的に構成される。当然ながら、いくつかの構成が可能である。
【００５９】
ボルトを外した後、床拡張部を垂直方向に取り付けられた位置から移動させ、その後、床拡張部が水平方向に配置され、拡張した床領域を形成する。これは、組立の際に下縁部を拘束するストラップ、鎖またはブラケットにより例えば手作業でを含むいくつかの方法により達成することができる。床拡張部１４１は、メインシャーシ１４３の全高さにわたる。これが好適であると考えられる。
【００６０】
この実施形態において、建物ユニット１３９は、端と端をつなげて配置された２つの２０フィートコンテナよりもむしろ単一／一体型の４０フィートの補強されたコンテナを備える。これは、必要とされる構成部品の数、ひいてはコストを大幅に低減し、いくつかの事例では、輸送および設置を簡略化すると考えられる。固定構造は、各床拡張部１４１の主要な周縁フレーム１５５にボルト１５１を貫通させることにより床拡張部１４１がボルト締めされることを含む。これはまた、輸送中にボルトが衝撃荷重を好適に伝達しかつ床拡張部１４１を所望の位置に保持することができる、という理由から好適であると考えられる。
【００６１】
図を参照すると、床拡張部１４１各々が、シャーシ１４３に対して垂直方向および水平方向にコンテナの完全な側部を好適に形成することも示されている。床拡張部１４１は、外側フレーム１５５の一部としてＩＳＯ標準のコーナ１５７を提供する。ＩＳＯ標準のコーナキャスティング１５７は、図示のように、床拡張部１４１がボルト締めされる中央シャーシ１４３とは別体である。このようにボルト締めすることにより、床拡張部１４１が、好適には確実にしっかりと固定される。
【００６２】
床拡張部１４１各々は、床拡張部１４１がボルト締めされるシャーシ１４３に同様の構造補強用の構造フレームを提供する。
【００６３】
設置の際には、床拡張部１４１をコンテナの中央シャーシ１４３から分離し、枢動運動により（但し、一体の枢軸なしに）適所に下降させ、その後、ボルト締めにより再び取り付ける。
【００６４】
加えて、一体型の４０フィートの建物ユニット１３９の床拡張部１４１の一方は、好適には取付設備を提供する。取付設備は、好適には、台所または浴室モジュールの形態の別個の建築構造物を受け入れるように構成される。別個の建物ユニットをコンテナ内に挿入できるようにすることにより、比較的大型の部屋を好適に提供することができると考えられる。他のコンテナ建物ユニットと比較すると、台所および浴室は、４０フィートコンテナの比較的狭い中央背部内に配置されない。実施形態において、台所および浴室モジュールは、シャーシ１４３の基部から延びる床拡張部１４１のうちの１つの内部／上部に受け入れられる。
【００６５】
図２０ａ〜図２０ｆを参照すると、一体型の４０フィートの建物ユニットを提供するさらなる実施形態による建築方法１５９が示されている。図示のように、床拡張部は、ＩＳＯ標準のコーナ１６１を提供する。台所／浴室モジュールは、床１６３を有するコンテナとして輸送される。台所／浴室ユニットはまた、ＩＳＯ標準の端部取付部１６５および保護屋根１６７を提供する。別輸送されるモジュールの床１６３は、設置の際に適所に案内され、最終的な床領域の一部を成す。保護屋根は、再使用可能であり、好適には、建物のベランダの一部として使用するための保護層の一部としての床を含む。
【００６６】
図２１〜図２３は、本発明のさらに好ましい実施形態によるモジュラユニット１６９を図示する。モジュラユニット１６９は、好適には２０フィートのコンテナ１７１として提供される。コンテナ１７１は、好適には、内部補強１７７を備えた箱形フレーム１７５を有するシャーシ１７３を備える。フレーム１７３は、細長く、第１端部１７９と第２端部１８３とを含む。
【００６７】
第１キャリア要素１８５は第１端部１７９に取り付けられ、第２キャリア要素１８７（図示せず）は第２端部１８３に取り付けられる。キャリア要素１８５および１８７は、シャーシ１７２に取り外し可能に取り付けられ、比較的平坦な平面構成を有する。取り外し可能な取り付けは、図示のように複数のボルト締め要素により行われる。キャリア要素１８５および１８７は、シャーシ１７３の周縁部を保護する形状であり、実質的に端部１７９、１８３の全幅および全高にわたる。
【００６８】
キャリア要素１８５、１８７各々は、ＩＳＯのコーナ要素１８９を含む。モジュラユニット１６９は、ＩＳＯの輸送コンテナ規格に従って提供される。さらに、モジュラユニット１６９は、上記のタイプのより大きなモジュラユニット用の台所設備と浴室設備の両方を提供するように設計される。モジュラユニット１６９において配管設備および台所設備の大部分を提供することによって、屋根材などの他の材料をより大きなモジュラユニット（４０フィート）で好適に輸送することができる。台所設備と浴室設備とを収容するより小さなモジュラユニット１６９は、組立現場に別輸送される。出願人は、これが好適であると考える。
【００６９】
モジュラユニット１６９は、組み立ての際に、より大きなモジュラユニットに取り付けられた複数の支持台の上での移動に役立つようにモジュラユニット１６９の下面に低摩擦材料を含み得る。これは、例えば、帯状のナイロン材料を含み得る。ウインチが、より大きなモジュラユニットの床拡張部内に設けられた凹部の内縁部に連結され、より小さなユニット１６９が、ウインチの使用により支持台上で引っ張られることが好ましい。より大きなユニットにボルト締めすることにより、支持台を好適に使用してガイドを提供することができる。システムは、２人または３人の比較的熟練していない者により設置可能であることが好ましい。
【００７０】
その手法の別の利点は、その手法が、家屋の床領域を相対的に最大化できるようにすることであると考えられる。出願人は、モジュラ屋根システムとの組み合わせでのそのような設計が、いくつかの実施形態において、実質的な追加の有効な床空間を与え得ると考える。現場で組み立てられた家屋のように見えかつそのように感じられる家屋を構築するという最も重要な目的に寄与するよりゆったりとした空間の設計を可能にすると考えられる。台所設備および浴室設備は、メインシャーシ内よりもむしろ床拡張部の中央に位置する。より大きなユニットの比較的空のシャーシは、輸送の際に、屋根パネルなどの他の材料を輸送するために好適に使用することができる。これにより、現場でのいくつかの好適な組立態様が提供される。
【００７１】
図２４を参照すると、本発明のさらに好ましい実施形態による建築構造物１６２が示されている。建築構造物１６２は、上部構造１６６と下部構造１６８とを有する本体部１６４を備える。下部構造１６８は、好適には、空の状態にされ、浸水状態において本体部１６４を持ち上げるのに十分な浮力を下部構造に与えるように構成された水室１７０を提供するように構成される。
【００７２】
水室１７０は、水室１７０を貫通する複数の基礎１７２を収容し、かつ２つのＩＳＯ認証コンテナを使用した建物の形成を可能にするように構成された対称構造を備える。水室１７０は、下部構造１６８の一部を成しかつ下部構造１６８の境界に沿ってその周辺に延在するように下部構造１６８内に収められる。
【００７３】
建築構造物１６２は、浸水状態の間に本体部１６４を上下に案内するように構成された垂直案内システム１７４を含む。垂直案内システム１７４は、本体部１６４を上下に案内するように構成された４つの案内部材１７６を備える。
【００７４】
建築構造物１６２は、洪水の影響を受ける氾濫原地域での使用に特に好適であると考えられる。一般に、ＩＳＯ準拠輸送コンテナから家屋を形成する場所では、別の方法では、家屋が押し流されるであろう。
【００７５】
実施形態において、建築構造物１６２は、屋根拡張部および床拡張部を２つのプレハブ式ユニットに対して配置し、床拡張部の下に浮揚構造を設けることにより提供される。
【００７６】
図２５を参照すると、本発明のさらに好ましい実施形態による建築構造物１７８が示されている。建築構造物は、（先に述べたように）、各モジュール１８２が、輸送状態にあるときに、ＩＳＯの輸送コンテナとして提供されるように構成された２つの可搬型モジュール１８２により提供される本体１８０を備える。好適には、モジュール１８２は、輸送状態から組み立てられ、拡張状態において建物１８４を提供することができる。図２５に示すように、建物１８４は、輸送状態で組み立てられたときの、モジュール１８２の基部の組み合わされた水平領域の約３倍の床領域１８５を有する。好適には、建築構造物１７８は、建物１８４が異なる現場の向きおよびその他の条件に適した異なるファサードレイアウトを備えることを可能にする、複数の交換可能なパネル１８８を備えるパネルシステム１８６をさらに含む。
【００７７】
その建物システムは、施工者が現場の向きに適するように建物を望ましく構成させることができる、ＩＳＯ認証輸送コンテナから形成される建物の提供を可能にするので、特に好適であると考えられる。施主は、好適には、窓、ドアおよび内壁をどこに配置するかを決定することもできる。
【００７８】
記載の先の実施形態と同様に、組み立てられる建物本体１８０は、モジュール１８２が輸送状態で提供されるときに、モジュール１８２の側部の一部を成す床部１９０を含む。床部１９０は、建物本体内における床領域１８５の少なくとも一部を成す。好適には、交換可能なパネル１８８は、異なるファサードレイアウトを提供するために床領域１８５の境界の周辺に配置可能である。
【００７９】
図２５に示すように、パネルシステム１８６は、壁パネル１９４と、高窓パネル１９６と、中窓パネル１９８と、全面窓パネル２００と、ドアパネル２０２と、引き違い窓二重パネル２０４とを含む。パネルシステム１８６のパネルの各々は、標準幅の２倍である引き違い窓二重パネル２０４を除いて、好適には同じ幅である。
【００８０】
好適には、パネルシステムを備えるモジュール化された構造物を提供することにより、量産コンテナ型の家屋を容易に製造することができると考えられる。異なる位置のファサードおよび内部レイアウトを容易に提供することができる。
【００８１】
図２６に示すように、床領域１８５は、およそ６つの標準パネルの幅に相当する幅２０６と、およそ６つの標準パネルの幅２０６に相当する高さ２０８とを有する略正方形である。これが好適であると考えられる。
【００８２】
図２７は、壁パネル１９４を断面図で示す。好適には、壁パネル１９４は、拡張部２１０と当接部２１２とを備えている。当接部２１２は、床部１９０に当接する下面として提供される。拡張部２１０は、図２７に示すように、当接部２１２の前部から床部１９０の前面２１４を越えて下方に延びる。これは、壁パネル１９４と床部１９０との間の継ぎ目に耐候性を付与するのを好適に助けるのに役立つ。拡張部は、１０ｃｍよりも長いことが好ましい。実施形態において、拡張部は、長さが約３０ｃｍであり、床部１９０よりも下に設けられた貯水タンクを好適に隠す役割も果たす。
【００８３】
パネルシステム１８６の壁パネルは、上部で懸吊され、次に、圧力シールが十分に水密であるように側部および底部に沿ってねじで取り付けられる。
【００８４】
加えて、完成したユニット内では、外壁パネル内にケーブルは存在せず、全ての電力および配管は主床構造および中央シャーシを通っている。各部屋に電源コンセントを設けるために、標準的な壁取り付けコンセントではなく、床ボックスが使用される。
【００８５】
上に詳述したように、いくつかの好ましい実施形態は、好適に以下を提供する多数のシステムおよび方法を提供すると考えられる。
（ｉ）建物の製造および設置が比較的容易である、プレハブ式のＩＳＯ標準コンテナモジュールを使用して建築される建物内において開放感および快適性の向上した部屋領域を提供する。
（ｉｉ）製造および設置が比較的容易であると同時に、好適な雨水捕捉能力および防水能力を有する、プレハブ式のＩＳＯ標準コンテナモジュールを使用して建築される建物を提供する。
（ｉｉｉ）建築の際に、コンテナが並べて配置されて好適な大きさの建物を提供し、かつ建物が建物モジュールを受け入れることができる、プレハブ式の折り畳み式の床拡張部を有するＩＳＯ標準コンテナモジュールを提供する。
（ｉｖ）結果的に床空間が３倍になるように折り曲げることができる床部を各々が備える１つまたは複数のコンテナを有するシステムを提供する。
（ｖ）プレハブ式のＩＳＯ標準コンテナモジュールを使用して建築される好適な浸水防護能力を備えた建物を提供する。
（ｖｉ）最終的な建物が異なる現場の向きおよびその他の条件に適した異なるファサードレイアウトを備えることを可能にする複数のパネルを有する少なくとも１つのＩＳＯ輸送コンテナモジュールから形成されるシステムを提供する。
【００８６】
図２８〜図４５に関して、図２８は、建物の一実施形態の分解斜視図を示す。図２９は、本発明の態様に係る図２８の建物を建造する方法の一実施形態のステップを示す。図３０は、螺旋杭が設置された現場を示す。図３１は、折畳モードにありかつ螺旋杭により支えられた、本発明の別の態様に係る、建物用の２つのユニットの一実施形態の斜視図である。図３２は、屋根拡張部を上方に揺動させたユニットの１つを示す。図３３および図３４は、それぞれの拡張位置まで下方に揺動させた基部拡張部を示す。図３５は、サブユニットがユニット内に配置され、かつ柱が基部拡張部上に設置されたユニットを示す。図３６および図３７は、それぞれの拡張位置にある屋根拡張部を示す。図３８は、外パネルが設置されたユニットを示す。図３９は、最終形態またはほぼ最終形態の建物を示す。図４０は、図３１のユニットの一部を成し得るキャップの一例を示す。図４２は、図３１のユニットの一部である２以上の自由度を有するヒンジの一例を示す。図４１は、図２８の建物内の容器の一例を示す。図４３は、外装パネルを嵌め込むことができる建物の前面に外装パネルの様々な実施形態を示す。図４４および図４５は、それぞれ折畳モードおよび拡張モードにある折畳可能な壁の一実施形態を示す。
【００８７】
図２８に示すように、建物の一実施形態の分解斜視図は、全体的に符号３１２で表される。実施形態において、建物３１２のかなりの部分は、制御された工場環境内で製造される（すなわち、予め組み立てられる）。これにより、現場で必要とされる熟練を要する労働の量および時間が低減される。
【００８８】
建物３１２は、折畳状態の１つまたは複数のユニットとして搬送される。折畳状態において、建物３１２は、ＩＳＯの輸送コンテナなどの輸送コンテナと同等の外形を有する。本文書の文脈において、輸送コンテナの別名は、インターモーダルコンテナである。例えば、基部は、ＩＳＯの輸送コンテナの基部と同じ面積を有し、屋根もまた、ＩＳＯの輸送コンテナの屋根と同じ幅および長さを有し、かつ、側壁もまた、ＩＳＯの輸送コンテナの対応する側壁と同じ幅および長さを有することができる。折り畳まれたユニットの外形は、いくつかの代替的な実施形態において、ＩＳＯ以外のコンテナと同等の外形とすることができる。アメリカ合衆国では、４８フィート（１４．６３ｍ）および５３フィート（１６．１５ｍ）のより長いユニットがしばしば使用される。一部のヨーロッパのコンテナは、ユーロパレットを収容するために、２．５ｍ（８フィート２．４インチ）で２インチ幅広である。オーストラリアのＲＡＣＥコンテナもまた、オーストラリアの標準的なパレットを収容するために若干幅広である。
【００８９】
この特定の実施形態において、ユニットは、輸送コンテナではなく、例えば、コンテナ船、コンテナ列車、トラック、およびポーテナなどの専用のコンテナ荷役設備を含み得るインターモーダル貨物輸送システムで輸送できるように、輸送コンテナの一定の特徴を備えるように構成されている。しかしながら、別の実施形態において、ユニットは、適切に改良された輸送コンテナである。
【００９０】
特定の実施形態において、ユニットの外形は、ハイキューブ輸送コンテナと同等の外形である。ハイキューブコンテナは、幅がおよそ２．４４ｍ（８フィート）であり、高さが２．８９ｍ（９．５フィート）である。ハイキューブコンテナは、例えば、１０、２０、３０または４０フィートの長さで利用可能である。ユニットの長さは、必ずしも全ての実施形態でそうではないが、この実施形態では、２０フィートである。
【００９１】
建物３１２は、施主／施工者により典型的には数週間で、または経験を積んだ建築作業員により数日中に、現場でユニットを拡張することにより組み立てられる。
【００９２】
図２９は、１つまたは複数のユニットおよび１つのサブユニットから建物３１２を建造する方法の一実施形態のステップを示す。第１ステップにおいて、建物３１２用のユニット３１０、３１１などの１つまたは複数のユニット（この例では、２つのユニット）およびサブユニット３７４は、ユニット３１０、３１１、したがって、結果として得られる建物３１２が位置することになる現場に搬送される。ユニット３１０、３１１は、実質的に同一であるが、同一である必要はなく、ＩＳＯの輸送コンテナなどの輸送コンテナと同等の寸法を有する。この実施形態において、ユニット３１０、３１１は、「標準的な」輸送コンテナよりも背の高いハイキューブ輸送コンテナと同等の外形寸法を有する。したがって、対応する建物は、相対的に高い屋根を有し、より背の低い輸送コンテナを使用して得られる容積よりも相対的に大きな内部容積を有する。ユニット３１０、３１１は、輸送コンテナと同等の寸法を有するので、輸送コンテナの荷役および輸送のための既存のインフラを使用して荷役および輸送することができる。図２９に示す方法の実施形態において、ユニット３１０、３１１は、ＩＳＯの輸送コンテナを運搬するように構成されたＢトリプルトラックで搬送される。Ｂトリプルトラックはまた、ユニット３１０、３１１内に位置することになるサブユニット３７４を運搬および搬送する。典型的には、サブユニット３７４は、同様に輸送コンテナ、但し、ユニット３１０、３１１に対応する輸送コンテナよりも小さな（典型的には、より背が低いが同一の床面積を有する）輸送コンテナと同等の外形寸法を有する。サブユニットの外形寸法は、ＩＳＯの輸送コンテナと同等の寸法とすることができる。
【００９３】
ステップ２において、３７４などのキャップが、ユニットの端部から取り外され、次に、ユニット３１０、３１１が、例えば、トラックの一部であるクレーンにより現場に端と端をつなげて配置される。この場合では、ユニット３１０、３１１は、（図２９に示すように）、例えば各々が螺旋杭の形態を取る複数の柱３６０の上に位置する。螺旋杭は、典型的には、ユニット３１０、３１１およびサブユニット３７４が搬送される前に現場に設置される。
【００９４】
以下では、方法についてユニット３１０を参照してさらに詳細に説明するが、同様のステップがユニット３１１に対して実行され得ることを理解されたい。
【００９５】
ステップ２に示すように、ユニット３１０は、折り畳まれて側壁を形成し拡張されてユニット３１０の矩形屋根３１６の拡張部を形成し得る矩形屋根拡張部３１８を有する。輸送の際に、屋根拡張部３１８は、例えば、締め具、ケーブルまたは紐により折畳位置に締結される。屋根を上方に揺動させる前に締結が解除される。
【００９６】
ステップ３に示すように、屋根拡張部３１８を上方に揺動させて上昇モードにすると、平坦化時にユニット３１０の矩形基部３１４の拡張部を形成し得る矩形基部拡張部３２０が露出する。基部拡張部２０は、輸送の際に締結される。下方に揺動させるときに、基部拡張部３２０の締結がまず解除される。
【００９７】
ステップ４に示すように、基部拡張部３２０を下方に揺動させて、基部３１４のみにより提供される床領域よりも広い床領域を形成する。
【００９８】
ステップ５において、（この例では、２０フィートのＩＳＯコンテナと同等の形態を取る）サブユニット３７４が、１つまたは複数のユニット内に配置される。この例では、サブユニットはハイキューブコンテナではない。この実施形態において、サブユニット３７４は、浴室および／または台所とすることができ、全ての配管およびその他のサービスが配備された状態とすることができる。サブユニットは、例えば台所および／または浴室に通じる１つまたは複数のドアを有する。
【００９９】
ステップ６において、屋根拡張部３１８を下方に揺動させて上昇モードから拡張モードにする。
【０１００】
ステップ７において、パネルが、拡張されたユニット３１０の周縁部の周りに配置されるが、パネルは、例えば、壁パネル、ドアおよび外窓である。パネルは、全て同じ幅、必ずしもそうではないが、典型的には１．２ｍとすることができ、したがって、交換可能である。一般に、床拡張部を拡張する前に屋根拡張部を拡張する場合、パネルの使用が大幅に簡略化される。
【０１０１】
建物３１２の別の実施形態を建造する様々な段階を図にさらに詳細に示す。図２８および図２９に示す部分と同様の部分には、同様の番号が付されている。
【０１０２】
図３０に示すように、３６０および３６２などの螺旋杭の形態の複数の柱が、まず現場に設置される。図３１は、端と端を当接させた建物用の２つのユニット、符号３１０で表す最前部のユニットおよび符号３１１で表す最後部のユニットを示す。図３１に示すようにユニットを使用すると、結果として得られる建物は、モジュラ建物と表現することができる。上下方向の線は、ユニット３１０、３１１の境界を示す。キャップ部材は、それぞれの屋根および／または屋根拡張部の境界にわたって配置される。この実施形態において、封止キャップの形態のキャップ部材は、接着剤および／または締結具を使用して取り付けられる。ユニットは、折畳モードで示されており、杭３６０の上に位置している。ユニット３１０は、ユニット３１１がそうであるように、開放した両側の端部３４８、３５０を有する。しかしながら、輸送の際には、開放端部３４８、３５０に蓋をすることができ、その追加のキャップ構造が、輸送のためにユニットを強固にする。キャップが設置された状態で、ユニットは、ＩＳＯの輸送コンテナ、例えば、長さ２０フィートのハイキューブと等しい寸法を有することができる。キャップが取り外された状態では、ユニットは、ＩＳＯの輸送コンテナよりも若干短い。キャップは、例えば、現場で取り外し、建物３１２の部品として使用することができる。図４０は、キャップ３７４の一例の正面斜視図を示す。キャップの後端部は開放しており、ユニットの端部を受け入れることができる空洞を呈する。キャップは、１対の協働要素により（コンテナ船などの）インターモーダルコンテナの輸送手段に係合するように構成することができ、１対の要素の各々は、キャップと輸送手段のうちの１つにそれぞれ位置する。その要素を係合させると、取り扱いおよび運送の際にユニットをしっかりと固定することができる。要素は、例えば、コーナキャスティングの形態の標準的なＩＳＯの取付点３７６とすることができ、要素は、ツイストロック（コンテナ輸送業において使用される緊締装置）に構成する。任意の適切な締結システムを用いることができる。要素３７６は、ＩＳＯの輸送コンテナに関しては、キャップ３７４の１つまたは複数のコーナに位置することができる。
【０１０３】
ユニット３１０は、折畳モード、拡張モード、または上昇モードを取ることができる屋根拡張部３１８を有する。図３１において、屋根拡張部３１８は、折畳モード（折り畳まれた状態）で示されている。この実施形態において、屋根拡張部３１８は、本質的に基部と屋根との間のスパン全体に延び、ユニット３１０の外壁を形成する。他の実施形態において、屋根拡張部はスパン全体に延びる。屋根拡張部は、この実施形態では、ハイキューブコンテナの外壁よりも若干小さく、詳細には、屋根拡張部の幅は、必ずしも全ての実施形態でそうではないが、この実施形態では、およそ２．８ｍである。
【０１０４】
ユニットが折畳モードにあるときには、基部拡張部３２０は屋根拡張部３１８の裏側に位置する。基部拡張部３２０は、折畳モードまたは拡張モードのいずれかを取ることができる。図３１において、基部拡張部３２０は、折畳モードで示されている。基部拡張部は幅が２．４ｍである。基部拡張部３２０は、必ずしも全ての実施形態でそうではないが、この実施形態では、屋根拡張部よりも幅が小さく、したがって、基部３１４と屋根３１６との間のスパン全体に延びない。このことにより、例えば、屋根拡張部をユニットに連結するヒンジなどの機構のための空間を提供することができる。拡張モードにおいて、基部拡張部３２０は、基部３１４の拡張部であり、基部および基部拡張部の上面は同一平面にある。
【０１０５】
屋根拡張部は、屋根拡張部よりも幅が広いので、家屋に日除けが設けられる。日除けは、好適には、家屋をより維持可能にするために受動熱管理を改善する。
【０１０６】
屋根拡張部３１８は、屋根３１６に隣接する近位縁部３２２と、さらに遠位縁部３２４とを有する。屋根拡張部３１８が折畳モードを取ると、遠位縁部３２４が、基部３１４に隣接して位置する。しかしながら、拡張モードにおいては、屋根拡張部３１８の遠位端部３２４は、図２８に示すように、屋根拡張部３１８の近位縁部３２２よりも上方に持ち上げられる。内部空間は、遠位縁部が持ち上げられるため、通常、コンテナにより提供される空間よりも高さがある。屋根３１６の下の内部よりも家屋の外縁部３２４により大きな高さが与えられる。これは、特に屋根拡張部の遠位縁部よりも外方に目を向けたときの家屋内の開放感を高める。また、屋根拡張部の内向き傾斜面は、家屋３１２に落下する雨水が内方に流れるようにし、そこで、雨水が中央に集められ、家屋の下に位置するタンクなどの貯水槽への導管を介して移送され得る。
【０１０７】
図３２に示すように、少なくともこの実施形態では、１８０°を超える角度で屋根拡張部３１８を上方に揺動させることができ、基部拡張部３２０を露出させる。屋根拡張部３１８は、図２８に示すヒンジ３４２により屋根に取り付けられる。ヒンジの使用は、屋根拡張部を揺動させるときに、ヒンジが屋根拡張部の半分の重量を支持するので都合が良い。ヒンジはまた、屋根と壁に対して屋根拡張部を予め整列させる。同様に、基部拡張部３２０は、図３２に示す別のヒンジ３４４により基部３１４に取り付けられる。
【０１０８】
図３２に示すように、上昇モードの屋根拡張部は、典型的には、折畳モードの屋根拡張部に対して１８０〜２７０°の角度を成す。屋根拡張部は、実際には２つの屋根拡張部のうちの１つであり、上昇モードでは、屋根拡張部のそれぞれの遠位縁部が一緒にされる。この上昇モードは、特に拡張部が互いに締結される場合、比較的安定した配置であり、拡張部を上昇モードにするまたは拡張部をこの上昇モードで保持するのに高価で煩雑な装置を必要としない。このモードにおいて、屋根拡張部は、自立しており、建築の前段階中には都合の良いことに邪魔にならない。
【０１０９】
図３３に示す通り、屋根拡張部３１８を上方に揺動させた後に、基部拡張部３２０を拡張位置まで下方に揺動させることができる。
【０１１０】
ヒンジ３４２は、屋根拡張部３１８を屋根３１６の上方または下方のいずれかに揺動させることができるように構成され、したがって、建物の輸送、建造、および最終的な使用の際に利用される様々な位置を取る。これは、従来技術の構成を使用しては不可能かもしれない。軸線を中心とした動きよりもむしろ経路に沿った動きを提供するヒンジを使用することができる。つまり、例えば図４２に示すダブルヒンジなどの、２以上の自由度を有するヒンジを使用することが好適であり得る。ダブルヒンジは、第１枢軸３８０と第２枢軸３８２とを有し、それらの枢軸は共通の連結部材３８３に各々連結される。第１枢軸３８０は第１リーフ３８４に取り付けられ、第２枢軸は第２リーフ３８６に取り付けられる。各リーフと連結部材との間の角度を変更することができるので、このダブルヒンジは、自由度が１しかない標準的なヒンジとは異なり、２の自由度を有する。使用時には、第１リーフは、縁部に隣接する屋根３１６の内面に締結することができ、第２リーフは、屋根拡張部３１８の内面に取り付けられる。屋根拡張部を延ばすときに、第１枢軸３８０を中心とした回転により、第２枢軸３８２をユニットの内側から揺動させ、屋根から離して揺動させる。したがって、屋根との干渉なしに、第２枢軸を中心に屋根拡張部を回転させることができる。３以上の自由度を備えたヒンジを用いることができる。１または２以上の並進自由度を有するヒンジを用いることができる。本実施形態において、ヒンジはユニットの外面に取り付けられるが、記載のように、ヒンジをユニットの内面に取り付けることもできる。これは、輸送中などにヒンジを保護し、この場合では、ヒンジは、ユニットが見本にして作られる標準的なコンテナの寸法を逸脱しない。
【０１１１】
ユニット３１２は、屋根と屋根拡張部との間の境界の少なくとも一部にわたって防水材料を有する。この実施形態において、その材料は、帯状のＰＶＣプラスチックシートまたは瀝青シートなどの帯状の防水膜の形態を取る。他の実施形態において、防水材料は、（シリコーンなど）流体として塗布されて硬化させる膜であってもよい。
【０１１２】
典型的には、屋根拡張部３１８を、折畳モードと拡張モードとの間でヒンジ３４２を中心に揺動させるが、屋根拡張部をヒンジ連結しなくてもよいことが理解されよう。代替的な実施形態においては、屋根３１６を（または基部３１４でさえも）ユニットから分離することができ、その後、所要の位置またはモードで再び取り付けることができる。
【０１１３】
図３３で分かるように、屋根３１６は、基部３１４と屋根３１６との間に延びる複数の支柱３４６により基部３１４の上方で支持される。支柱３４６は、例えば、角形断面形状の鋼管とするか、または、いくつかの実施形態では、木材とすることができる。一般に、支柱３４６には任意の適切な材料を使用することができる。支柱は、ユニットのコーナからずらされる。これにより、拡張部が、折畳モードにおいてユニットの全長にわたることを可能にする。
【０１１４】
図３３に示すように、基部拡張部３２０は、拡張モードにあるときには、３６２などの複数の柱の上に位置する。柱３６２は、例えば、螺旋杭の形態を取るか、または代替的に、コンクリート基礎を伴う煉瓦積の形態を取る。一般に、任意の形態の適切な柱を用いることができる。しかしながら、螺旋杭は、迅速に配置することができる。基部拡張部（および実際には基部）は、例えば、柱に係合する一体的な補強板を有することができる。
【０１１５】
図３５に示すように、ユニット３１０は、屋根拡張部３１８を上方に揺動させ、かつ基部拡張部３２０を下方に揺動させた状態で、（この実施形態において、長さ２０フィートのＩＳＯの輸送コンテナと同等の長さを有する）サブユニット３７４を受け入れることができる。いくつかの実施形態において、２つ以上のサブユニットが、ユニット３１０内に配置される。この実施形態では、ユニットは、台所と浴室とを備える。さらなるユニットは、例えば、寝室もしくは書斎または何か他の特別室とすることできる。
【０１１６】
図示のユニット３１０およびサブユニット３７４の実施形態は、各々、水道サービス、ガスサービス、電気サービス、電話またはインターネットなどの通信サービス、ならびに下水道サービスなどの１つまたは複数のサービスを受け入れるように構成される。例えば、ユニット３１０は、必要に応じて、配電盤および電気コンセント、通過するパイプおよびケーブルを受け入れる開口ならびにパイプおよびケーブル用のダクトのうちの１つまたは複数を装備することができる。開口部は、ユニットの輸送および荷役のために蓋をされる。ユニットの外部サービスは、送電網に接続するための電気コネクタを備えることができる。コネクタは凹部とすることもできる。電気配線は、例えば、床空洞内に位置し得る。一般に、家屋を配電網などの電力供給部に接続することを除き、追加の電気工事を現場の家屋内で行う必要はない。この実施形態において、サブユニット３７４は、例えば、ユニット内の電線およびパイプなどのサービス導管に全て接続されたトイレ、シャワー、レンジ、およびオーブンを有する。
【０１１７】
この実施形態のサブユニットは、１つまたは複数のユニット内に配置される前に取り外される基部を有する。この場合では、ユニットからサブユニットの内部への段差が存在しない。
【０１１８】
サブユニット３７４は、水、砂、または、熱を貯蔵できる任意の適切な材料などの熱質量（thermal  mass）を保持するように構成された、図４１に示す容器３８８を有する。容器は、典型的にはサブユニットの側壁に隣接し、サブユニットの壁に固定される。サブユニットが設置されたとき、容器は、理想的には建物の中央付近または建物の中央に位置する。ユニットは、容器が空の状態で搬送される。空の容器は、輸送中および設置中のサブユニットの重量を低減する。一形態において、容器は、およそ１，０００リットルの貯水タンクである。サブユニットが設置されると、タンクには、例えば、水道本管に接続されたホースを介して送出される水が充填される。代替的には、おそらく現場から調達される砂、土などを使用することができる。熱質量は、建物内の温度を安定化するのに役立つことができ、質量の余計な輸送なしに、より良好な屋内環境を提供する。
【０１１９】
図３５で分かるように、この実施形態では、鋼製支柱３７６の形態の複数の柱が、基部拡張部３２０の上方に立設される。３７６などの支柱は、それぞれの螺旋杭の上に位置する。それから、屋根拡張部３１８を、下方に揺動させて拡張モードにし、図３６に示すように柱３７６の上に載せる。拡張部は、柱に係合する一体的な補強板を有することができる。拡張モードの屋根拡張部は、折畳モードの屋根に対して５０〜１３５°の角度を成す。
【０１２０】
図３６に示すように、壁はユニット内に配置される。壁４１２の少なくとも１つは、折畳モード（図４４）で輸送される折畳可能な壁であり、設置後に拡張モード（図４５）を取る。壁は、材料の第１シート４１４および第２シート４１６を有する。構造４１８は、第１シートおよび第２シートに取り付けられる。継手などの任意の適切な同等の構造を使用することができるが、少なくともこの実施形態において、構造はヒンジを有する。この実施形態において、構造は、実際には２つのダブルヒンジ４１８を有する。ダブルヒンジは、第１リーフと第２リーフとを有し、第１リーフは第１シートに取り付けられ、第２リーフは第２シートに取り付けられる。ダブルヒンジは、それらのシートの間に位置する。シートは、構造が拡張モードよりも折畳モードにあるときに相対的に近接する（例えば、３００ｍｍ間隔よりもむしろ１００ｍｍ間隔）。拡張させた時点で、断熱材などの材料を、それらのシート間の空間に配置することができる。
【０１２１】
図３８は、外壁パネルが設置された建物を示す。パネルは、現場の仕様および向きに構成するように交換可能である。外壁がパネルであるため、必要に応じて被覆材を交換することができる。例えば、被覆材は、繊維セメント、木材、金属板、プラスチックまたは同種のものとすることができる。この実施形態において、外壁は懸吊されるので、ヒンジを介して屋根および／または基部に取り付けられかつヒンジで外方に揺動させることができる外壁と比較して、向上した防水性を有する。建物３１２の耐荷機構は柱３７６である。外壁は自立しており、最終的な構造を比較的建造し易くし、かつ大幅に軽量化する。
【０１２２】
基部拡張部は、基部に隣接する近位縁部と遠位縁部とを有することができる。遠位縁部は、必ずしも全ての実施形態でそうではないが、この実施形態では、パネルのそれぞれの縁部を受け入れるように構成される。この特定の実施形態において、遠位縁部は、１対の協働要素によりパネルに係合するように構成され、１対の要素の各々は、遠位縁部とパネルのうちの１つにそれぞれ位置する。協働要素は、対応する凹部に位置するように構成されたピンを備えることができる。しかしながら、別の実施形態において、協働要素は、対応するスロット内に位置するように構成された突出リブを備えることができる。一般に、任意の適切な係合要素を用いることができる。いくつかの実施形態において、ピンまたはリブなどの雄要素はパネルに位置することが好ましい場合がある。これは、建物を建造するときに、基部拡張部の遠位縁部に位置する雄要素では、引っ掛かり（ｓｎａｇｇｉｎｇ）が起こり易いおよび／または損傷を受け易いためである。パネル上の雄要素は、隣接する構造、最も顕著には、図４３に示す下方に突出するフランジ４０８によりある程度保護される。パネルは、例えば、窓、壁パネルおよびドアの少なくとも１つを備えることができる。
【０１２３】
図４３は、符号３９０〜４００で表す外装パネルの様々な実施形態を示す。パネル３９０は、例えば、第１端部４０２と、第１端部４０２から間隔をおいて位置する第２端部４０４とを有する。表面４０６は、第１端部と第２端部との間に配置される。表面は、例えば、被覆材の外面、ドアの表面、窓、引き違い窓、スライドドアなどであってもよい。パネル３９０で最もよく分かるように、パネル各々は、その表面に平行でかつ取り付けられた一方の端部から離れる方向に延びるフランジ４０８を有する。フランジは、外装表面となるように構成された表面を有する。例えば、外装表面は、塗装されたまたは処理を施された金属または木材、プラスチックなどとすることができ、風雨および／または直射日光に耐えることができる。フランジ４０８は、表面４０６と実質的に同一平面内にある。フランジは、基部および／または基部拡張部の縁部を覆う断熱材を備えることができる。代替的にまたは追加的に、ガラス繊維マットなど断熱材は、フランジと基部との間に配置することができる。基部および／または基部拡張部が、基部／基部拡張部の縁部とユニットの内部との間の熱導管として正常に機能する鋼などの熱伝導性材料から作製されると好適である。フランジはまた、基部拡張部の底面でまたは底面の下方で終端するので、構造を防水にするのに役立つことができる。フランジの裏側には、基部拡張部の遠位縁部上の対応する要素と協働する１つまたは複数の要素が位置する。
【０１２４】
図３８は、最終形態またはほぼ最終形態の建物を示す。破風板３６８が、端パネル３７２の上方のユニットの端部に設置されている。破風板は、高耐熱性の材料（例えばガラス繊維マット、スタイロフォームなどの発泡プラスチック、これらの類似物または任意の他の適切な材料）を含む。好ましくは、生分解性断熱材が使用される。１つまたは複数のガラス要素３７０は、側壁パネル３３６、３３８の上方に設置される。典型的には、ガラス要素各々は、複層ガラス、低放射ガラス、またはさらには真空複層ガラスなどの、高耐熱性のガラスパネルを備える。
【０１２５】
図３８に示す建物などの最終的な建物３１２は、輸送コンテナを少しも連想させない。
【０１２６】
典型的には、ユニット３１０の実施形態は、光起電力パネルまたは太陽熱温水器などの少なくとも１つの太陽熱集熱器を受け入れるように構成される。屋根または屋根拡張部は、マウント３７４が取り付けられるかまたは形成され、太陽熱集熱器または太陽熱集熱器支持部材とすぐに係合できる。本実施形態において、取付板３７４（図２８）は、２液性エポキシ系接着剤またはシアノアクリレート系接着剤などの接着剤により外装上面に固定される。接着剤の使用は、屋根に形成された１つまたは複数の開口を貫通することができる（ねじなどの）機械的締結具の使用よりも好ましい。開口は、一般には望ましくない、水または別の物質が通過してユニットの内部に進入し得る導管を提供することができる。開口は腐食の開始点となる場合がある。取付板は、アルミニウムから作製することができ、例えば、任意の適切な材料を使用することができる。代替的にまたは追加的に、３９０などの１つまたは複数の外壁パネルは、太陽熱集熱器または太陽熱集熱器支持部材に係合する３７４などの１つまたは複数のマウントを有することができる。別の実施形態において、壁パネルは、一体型太陽熱集熱器を有することができる。太陽熱集熱器は、建物が最終状態またはほぼ最終状態にあるときに設置することができる。
【０１２７】
したがって、本発明の一態様において、建物用のユニットであって、基部と、基部の上方で支持される屋根とを備えるユニットが提供される。
【０１２８】
ユニットは、工場内で予め組み立てることができ、プレハブ式建物またはモジュラ建物の少なくとも一部を形成することができる。量産技術を用いて、コストを削減し、建築期間を短縮することができる。工場からのユニットは同様かまたは同一であるので、規模の経済性を実現することができ、コストが低下する。ユニットの品質（例えば、エネルギー効率、使用材料の持続可能性、または施工品質のうちの１つまたは複数）を、工場特有の制御環境で生産する場合に、より高くかつ確実なものとすることができる。
【０１２９】
実施形態において、ユニットは、折畳モードおよび拡張モードを有する屋根拡張部であって、折畳モードでは、屋根拡張部の表面がユニットの外側面を成し、また拡張モードでは、屋根拡張部が屋根の拡張部を成す、屋根拡張部を備える。拡張モードの屋根拡張部は、折畳モードの屋根拡張部に対して５０〜１３５°の角度を成すことができる。屋根拡張部は、屋根に隣接する近位端部と、拡張モードでは、近位縁部よりも上方に持ち上げられる遠位縁部とを有する。
【０１３０】
折畳可能なユニットは、折畳モードにおいて容易に輸送でき、さらに拡張モードにおいて十分な建物空間を提供することができる。近位縁部よりも上方に持ち上げられる遠位縁部は、より多くの内部空間を与え、かつ建物の内側から外方に目を向けたときにより大きな開放感を与えることを含む、建築上の理由から望ましい。遠位縁部が持ち上げられていなければ、ある人にとっては建物が受け入れ難いほど閉塞されているように感じられ、閉所恐怖症をさえ経験するかもしれない。
【０１３１】
屋根拡張部はまた、屋根拡張部の遠位縁部が屋根よりも上に位置する上昇モードを有することができる。上昇モードの屋根拡張部は、折畳モードの屋根拡張部に対して１８０〜２７０°の角度を成すことができる。屋根拡張部は２つの屋根拡張部のうちの１つとすることができる。上昇モードでは、２つの屋根拡張部のそれぞれの遠位縁部を一緒にすることができる。
【０１３２】
屋根拡張部は、上昇モードにあるとき、基部の高さで行われる作業中には都合の良いことに邪魔にならない。屋根拡張部は、その作業中において上昇モードにある間は、損傷を受ける可能性が低い。拡張部は、それぞれの遠位端部が一緒にされているときには、実質的に自立しており、建築工具／設備の必要性を低減する。
【０１３３】
一実施形態において、折畳モードでは、屋根拡張部が基部と屋根との間に少なくとも部分的に延びる。折畳モードにあるときの屋根拡張部は、基部と屋根との間に延びることができる。
【０１３４】
基部と屋根との間に延びる屋根拡張部は、輸送中における、衝撃からなどの外部干渉、水分などに対する優れた障壁を形成することができる。
【０１３５】
好ましい形態において、屋根拡張部は、屋根に枢動可能に取り付けられる。屋根拡張部を屋根の上方または下方に揺動させることができるように、屋根拡張部は、ヒンジを介して屋根に取り付けることができる。
【０１３６】
好ましくは、屋根拡張部を、折畳モードと拡張モードと上昇モードとの間でヒンジを中心に揺動させる。ヒンジは２以上の自由度を有する。ヒンジは、ダブルヒンジとすることができる。
【０１３７】
好ましくは、屋根拡張部は、少なくとも１つの太陽熱集熱器を受け入れるように構成される。太陽熱集熱器に係合する取付具をユニットの作製時に加えるよりも、その取付具を建物に事後設置するのには費用がかかる。例えば、締結具用の開口を作る必要がある場合、場当たり的な設置により、建物に意図しない損傷が生じ得る。
【０１３８】
好ましくは、ユニットは、屋根と屋根拡張部との間の境界の少なくとも一部に配置された防水材料を備える。
【０１３９】
いくつかの形態において、ユニットは、折畳モードおよび拡張モードを有する基部拡張部であって、折畳モードでは、基部拡張部が基部と屋根との間に少なくとも部分的に延び、また拡張モードでは、基部拡張部が基部の拡張部を成す、基部拡張部を備える。折畳モードにあるときの基部拡張部は、基部と屋根との間に部分的にのみ延びることができる。基部拡張部は、基部に隣接する近位縁部と遠位縁部とを有することができる。遠位縁部は、パネルのそれぞれの縁部を受け入れるように構成することができる。遠位縁部は、１対の協働要素によりパネルに係合するように構成することができ、１対の要素の各々は、遠位縁部とパネルのうちの１つにそれぞれ位置する。協働要素は、（凹部などの）対応する雌要素内に位置するように構成された（ピンなどの）雄要素を備えることができる。代替的にまたは追加的に、協働要素は、対応するスロット内に位置するように構成された突出リブを備えることができる。パネルは、窓、壁パネルおよびドアの少なくとも１つを備えることができる。
【０１４０】
折畳可能な基部は、十分な床空間を確保する一方で、輸送をより容易にする。交換可能なパネルの使用により、建物設計の柔軟性を大幅に高めることができる。パネルは、特に、例えば、建物にヒンジで連結された壁パネルと比較して、建物の防水に役立ち得る。
【０１４１】
いくつかの形態において、屋根は、基部と屋根との間に延びる複数の支柱により基部の上方で支持される。各支柱は、基部のそれぞれのコーナからずらすことができる。支柱は各々鋼管から成ることができる。
【０１４２】
ずらされた支柱は、屋根拡張部および／または基部拡張部に干渉せず、より高い設計自由度を提供し、屋根拡張部および／または基部拡張部の領域を最大化することができる。基部拡張部および屋根拡張部がそれぞれの折畳モードにあるとき、屋根拡張部は、基部拡張部が裏側に配置されるユニットの外側面を形成する。
【０１４３】
外側面は、輸送中にユニット内側の基部拡張部およびその他の部分を保護する（鋼などの）比較的頑丈な表面とすることができる。
【０１４４】
一形態において、基部拡張部は、拡張モードにあるときに、複数の柱により支持されるように構成される。柱は、上に基部および基部拡張部が載せられる平坦構造を提供し、かつ建物内への水分および／または害虫の進入を抑制することができる。
【０１４５】
ユニットの１つまたは複数の寸法は、輸送コンテナの寸法と同等の寸法である。屋根拡張部および基部拡張部がそれぞれの折畳モードにあるときに、ユニットは、輸送コンテナの寸法を有することができる。輸送コンテナは、ＩＳＯの輸送コンテナとすることができる。ＩＳＯの輸送コンテナは、ハイキューブ輸送コンテナとすることができる。
【０１４６】
ＩＳＯの輸送コンテナの態様を取るユニットは、輸送コンテナの輸送および荷役のための既存のインフラを都合良く利用することができる。さらに、ユニットは、１つまたは複数のサービスを受け入れるように構成することができる。ユニットは、１つまたは複数のサービスのための導管を備えることができる。少なくとも１つのサービスは、水道サービス、ガスサービス、電力サービス、通信サービスおよび下水道サービスのうちの１つまたは複数を含み得る。したがって、現場での業者の必要性を低減することができる。
【０１４７】
一実施形態において、ユニットは、開放した両側の端部を備える。一実施形態において、ユニットの端部はキャップで蓋をされる。キャップは、輸送中における水分などの進入に対してユニットを封止するのに役立つことができる。キャップはまた、既存の貨物輸送機関および荷役インフラが係合する係合手段を提供することができ、その後、建物の設計を損なうことなく現場で取り外すことができる。可脱キャップは、建物の端部を構成するためのより大きな自由度を提供するが、さもなければ、建物の端部が美的に不満の残るものとなるであろう。キャップは、輸送および荷役を考慮して鋼などの頑丈な材料から作製することができるが、建物の端部として無駄に使用するのではなく建物の一部として使用することができる。
【０１４８】
いくつかの形態において、ユニットは、複数の柱に支持されるように構成される。ユニットは、輸送コンテナと同等の寸法を有するサブユニットを内側に受け入れるように構成することができる。サブユニットは、ハイキューブ型ではない輸送コンテナの外径寸法を有することができる。サブユニットは、熱質量を収容するように構成された容器を備えることができる。サブユニットは、完全な台所および／または浴室を有することができ、例えば、現場での業者の必要性を低減する。熱質量を使用することにより、建物の内部温度を一定に保つことができる。容器は、空状態のときに設置して、その後、例えば、パイプからの水で充填することができ、これにより荷役がより容易になる。熱質量は、典型的には１，０００〜１０，０００ｋｇであり、したがって、荷役が難しい。標準的なＩＳＯの輸送コンテナの高さのサブユニットは、ハイキューブコンテナの高さを有するユニット内に収めることができる。
【０１４９】
本発明の第２態様において、本発明の第１態様に係るユニットによって受け入れられるように構成されたサブユニットが提供される。実施形態において、サブユニットはドアを備える。サブユニットは、１つまたは複数のサービスを備えることができる。サブユニットは、浴室を備えることができる。サブユニットは、台所を備えることができる。サブユニットは、熱質量を収容するように構成された容器を備えることができる。容器は、貯水タンクとすることができる。
【０１５０】
本発明の別の態様において、建物を建造する方法であって、屋根拡張部が折畳モードにある状態の本発明の第１態様に係るユニットを準備するステップと、屋根拡張部がそれぞれの拡張モードを取るようにするステップとを含む方法が提供される。
【０１５１】
ある実施形態において、方法は、屋根拡張部が上昇モードを取るようにするステップを含む。ある実施形態において、方法は、基部拡張部がそれぞれの拡張モードを取るようにするステップをさらに含む。基部拡張部の遠位縁部は、基部拡張部が拡張モードを取るようにされた後にパネルを受け入れることができる。ある実施形態において、方法は、屋根拡張部と基部拡張部との間に１つまたは複数の支柱を配置するステップを含む。例えば、パネルではなく、支柱により屋根拡張部の荷重の大部分または全てを担うことができ、それにより、設計にかなりの自由度が与えられる。例えば、パネルは、耐荷重性である必要はなく、したがって、外観などの他の特徴を際立たせることができる。
【０１５２】
ある実施形態において、方法は、複数の柱の上にユニットを配置するステップを含む。その方法は、複数の柱を設置するステップを含み得る。ある実施形態において、方法は、ユニット内にサブユニットを配置するステップを含む。サブユニットは、浴室および／または台所を備える。
【０１５３】
ある実施形態において、屋根拡張部がそれぞれの拡張モードを取るようにするステップは、基部拡張部がそれぞれの拡張モードを取るようにするステップの前に行われる。
【０１５４】
本発明の別の態様において、建築中に、熱質量を収容するように構成された容器を建物内に配置するステップを含む建物を建造する方法が提供される。ある実施形態において、容器は、建物内に配置されるときに空の状態である。方法は、容器内に熱質量を配置するステップを含み得る。容器は、水を保持するように構成され得る。容器内に熱質量を配置するステップは、タンクに水を充填することを含み得る。ある実施形態において、容器は、本発明の第２態様に係るサブユニットの一部であり、建物内に容器を配置するステップは、建物内にサブユニットを配置するステップを含む。ある実施形態において、方法は、本発明の第１態様に係るユニットを準備し、ユニットを拡張するステップを含む。
【０１５５】
本発明のさらに別の態様によれば、建物用の外装パネルであって、第１端部と、第１端部から離隔する第２端部と、端部のうちの一方に取り付けられかつ建物の基部および建物の基部の拡張部のいずれか１つの縁部に係合するように構成されたフランジとを備える、外装パネルが提供される。パネル、特にフランジは、断熱性を提供することができ、建物の防水性を向上させることができる。ある実施形態において、フランジは、外装表面となるように構成された表面を有する。ある実施形態において、フランジは、端部のうちの一方の表面と実質的に同一平面にある。ある実施形態において、フランジは断熱材を備える。ある実施形態において、パネルは、１対の協働要素により建物に係合するように構成され、１対の要素の各々は、建物およびパネルのうちの１つにそれぞれ位置する。ある実施形態において、パネルは、端部間に配置された表面を備える。コーナは、フランジの真後ろに位置することができる。コーナは、建物の縁部を受け入れるように構成させることができる。フランジは、端部のうちの一方に取り付けることができる。フランジは、端部間に配置された表面と平行とすることできる。ある実施形態において、フランジは、縁部を隠すように構成される。
【０１５６】
本発明の別の態様において、材料の第１シートおよび第２シートと；第１シートおよび第２シートに取り付けられた拡張モードおよび折畳モードを有する構造体とを備え、シートは、構造体が拡張モードよりも折畳モードにあるときに相対的に近接する、折畳可能な壁が提供される。
【０１５７】
折畳可能な壁は、例えば、輸送および保管の際に折り畳まれ、建物内に設置するときに拡張させることができる。ある実施形態において、構造体はヒンジを備える。構造体は、ダブルヒンジを備えることができる。ヒンジは、第１リーフと第２リーフとを備え、第１リーフは第１シートに取り付けられ、第２リーフは第２シートに取り付けられる。ある実施形態において、構造体はそれらのシート間に位置する。
【０１５８】
本発明のさらなる態様において、基部と；基部の上方で支持される屋根と；折畳モードおよび拡張モードを有する屋根拡張部であって、折畳モードでは、屋根拡張部の表面がユニットの外面を成し、また拡張モードでは、屋根拡張部が屋根の拡張部を成し、屋根拡張部が、屋根に隣接する近位縁部と、上昇モードでは、近位縁部よりも上方に持ち上げられる遠位端部とを有する、屋根拡張部とを備える建物用のユニットが提供される。
【０１５９】
ある実施形態において、ユニットは、折畳モードおよび拡張モードを有する基部拡張部であって、折畳モードでは、基部拡張部が基部と屋根との間に少なくとも部分的に延び、また拡張モードでは、基部拡張部が基部の拡張部を成す、基部拡張部を備える。ある実施形態において、屋根拡張部はまた、屋根拡張部の遠位縁部が屋根よりも上に位置する上昇モードを有する。
【０１６０】
本発明のさらなる態様において、基部と；基部の上方で支持される屋根と；折畳モードおよび拡張モードを有する屋根拡張部であって、折畳モードでは、屋根拡張部の表面がユニットの外面を成し、また拡張モードでは、屋根拡張部が屋根の拡張部を成す、屋根拡張部とを備える、改良された輸送コンテナが提供される。ある実施形態において、屋根拡張部は、屋根に隣接する近位端部と、拡張モードでは、近位縁部よりも上方に持ち上げられる遠位縁部とを有する。
【０１６１】
さらなる利点および好ましい特徴は、図面および明細書全体を読むことにより明らかであろう。
【０１６２】
記載の実施形態は、事実上は多少概念的なものであり、出願人は、商業化される可能性が高いさらなる構成を開発していることを認識されたい。
【０１６３】
本発明の本質および範囲から逸脱することなく、様々な修正および均等形態を提供することができることを認識されたい。これは、あらゆる変更、代替的構成および均等物に加えて添付の特許請求の範囲内の変更を含む。本発明を図面に示す特定の実施形態に限定する意図はない。本発明は出願人に有利に解釈されるものとし、本発明はその全範囲が与えられるものとする。
【０１６４】
本明細書中において、特定の特徴の存在は、さらなる特徴の存在を排除しない。「備える」、「含む」および「有する」という用語は、排他的意味よりもむしろ包含的意味で解釈されるものとする。
【０１６５】
本明細書中のいかなる議論も、本発明の内容を説明するために意図されたものであることが認識されよう。これまで述べた材料が、任意の特定の国または地域における従来技術の基礎または関連する一般知識の一部を構成していたことを容認すると解釈されるべきではない。
【図１】
2014508873.tif 000003
【図２】
2014508873.tif 000004
【図３】
2014508873.tif 000005
【図４】
2014508873.tif 000006
【図５】
2014508873.tif 000007
【図６】
2014508873.tif 000008
【図７】
2014508873.tif 000009
【図８】
2014508873.tif 000010
【図９】
2014508873.tif 000011
【図１０】
2014508873.tif 000012
【図１１】
2014508873.tif 000013
【図１２】
2014508873.tif 000014
【図１３】
2014508873.tif 000015
【図１４】
2014508873.tif 000016
【図１５】
2014508873.tif 000017
【図１６】
2014508873.tif 000018
【図１７】
2014508873.tif 000019
【図１８】
2014508873.tif 000020
【図１９】
2014508873.tif 000021
【図２０ａ】
2014508873.tif 000022
【図２０ｂ】
2014508873.tif 000023
【図２０ｃ】
2014508873.tif 000024
【図２０ｄ】
2014508873.tif 000025
【図２０ｅ】
2014508873.tif 000026
【図２０ｆ】
2014508873.tif 000027
【図２１】
2014508873.tif 000028
【図２２】
2014508873.tif 000029
【図２３】
2014508873.tif 000030
【図２４】
2014508873.tif 000031
【図２５】
2014508873.tif 000032
【図２６】
2014508873.tif 000033
【図２７】
2014508873.tif 000034
【図２８】
2014508873.tif 000035
【図２９】
2014508873.tif 000036
【図３０】
2014508873.tif 000037
【図３１】
2014508873.tif 000038
【図３２】
2014508873.tif 000039
【図３３】
2014508873.tif 000040
【図３４】
2014508873.tif 000041
【図３５】
2014508873.tif 000042
【図３６】
2014508873.tif 000043
【図３７】
2014508873.tif 000044
【図３８】
2014508873.tif 000045
【図３９】
2014508873.tif 000046
【図４０】
2014508873.tif 000047
【図４１】
2014508873.tif 000048
【図４２】
2014508873.tif 000049
【図４３】
2014508873.tif 000050
【図４４】
2014508873.tif 000051
【図４５】
2014508873.tif 000052
【手続補正書】
【提出日】平成25年7月2日(2013.7.2)
【手続補正１】
【補正対象書類名】特許請求の範囲
【補正対象項目名】全文
【補正方法】変更
【補正の内容】
【特許請求の範囲】
【請求項１】
内部床と、２つのバタフライ形屋根部の間の中央屋根部とを有する建物であって、
当該建物が、床、取り外し可能な側壁、及び屋根を有するコンテナから部分的に形成され、
前記内部床が、前記コンテナの前記取り外し可能な側壁を前記コンテナの前記床の両側端に水平方向に当接させることにより形成され、
２つの前記バタフライ形屋根部が、前記コンテナの前記屋根の両側端に沿って並べてヒンジ連結された屋根モジュールにより形成され、
前記中央屋根部が前記コンテナの前記屋根により形成され、
前記コンテナの前記取り外し可能な側壁のうちの少なくとも１つが、当該建物の外部床を形成する可脱部を有し、
前記可脱部が少なくとも１つの前記取り外し可能な側壁から取り外された後に、少なくとも１つの前記取り外し可能な側壁内に残された切欠き内へ居住モジュールを挿入可能である、建物。
【請求項２】
前記内部床の上方で前記バタフライ形屋根部を支持する、規則的に離隔した柱をさらに含む、請求項１に記載の建物。
【請求項３】
当該建物の再構成可能な壁を形成するために、前記柱に取り外し可能に取り付けられた交換可能な壁モジュールをさらに含む、請求項２に記載の建物。
【請求項４】
前記コンテナが国際標準化機構の標準外形寸法を有する、請求項１〜３のいずれか一項に記載の建物。
【請求項５】
内部床と、２つのバタフライ形屋根部の間の中央屋根部とを有する建物を形成する方法であって、
床、取り外し可能な側壁、及び屋根を有するコンテナを準備し、
前記コンテナの前記取り外し可能な側壁を前記コンテナの前記床に水平方向に当接させることにより前記内部床を形成し、
前記コンテナの前記屋根の両側端に沿って並べて屋根モジュールをヒンジ連結することにより２つの前記バタフライ形屋根部を形成すること、
を含み、
前記中央屋根部が、前記コンテナの前記屋根により形成され、
前記コンテナの前記取り外し可能な側壁のうちの少なくとも１つが、前記建物の外部床を形成する可脱部を有し、
前記可脱部が少なくとも１つの前記取り外し可能な側壁から取り外された後に、少なくとも１つの前記取り外し可能な側壁に残された切欠き内へ居住モジュールを挿入可能である、方法。
【請求項６】
前記内部床の上方で前記バタフライ形屋根部を支持する、規則的に離隔した柱を提供することをさらに含む、請求項５に記載の方法。
【請求項７】
前記建物の再構成可能な壁を形成するために、交換可能な壁モジュールを前記柱に取り外し可能に取り付けることをさらに含む、請求項６に記載の方法。
【請求項８】
前記コンテナが国際標準化機構の標準外形寸法を有する、請求項５〜７のいずれか一項に記載の方法。
【請求項９】
内部床と、２つのバタフライ形屋根部の間の中央屋根部とを有する建物を形成するための部品キットであって、
床、取り外し可能な側壁、及び屋根を有するコンテナであって、前記内部床が、前記コンテナの前記取り外し可能な側壁を前記コンテナの前記床の両側端に水平方向に当接させることにより形成される、コンテナと、
２つの前記バタフライ形屋根部を形成するために前記コンテナの前記屋根の両側端に沿って並べてヒンジ連結可能な屋根モジュールと、
を含み、
前記中央屋根部が、前記コンテナの前記屋根により形成され、
前記コンテナの前記取り外し可能な側壁のうちの少なくとも１つが、前記建物の外部床を形成する可脱部を有し、
前記可脱部が少なくとも１つの前記取り外し可能な側壁から取り外された後に、少なくとも１つの前記取り外し可能な側壁に残された切欠き内へ居住モジュールを挿入可能である、部品キット。
【請求項１０】
前記内部床の上方で前記バタフライ形屋根を支持するための柱をさらに含む、請求項９に記載の部品キット。
【請求項１１】
前記建物の再構成可能な壁を形成するために前記柱に取り外し可能に取り付け可能である交換可能な壁モジュールをさらに含む、請求項１０に記載の部品キット。
【請求項１２】
前記コンテナが国際標準化機構の標準外形寸法を有する、請求項９〜１１のいずれか一項に記載の部品キット。
【手続補正２】
【補正対象書類名】明細書
【補正対象項目名】０００２
【補正方法】変更
【補正の内容】
【０００２】
値段が手頃で持続可能な量産型の建物および住宅が必要とされている。例えば、家屋を建造する現在の技術は、典型的には非常に手作業的であり、かつ費用がかかる。典型的な家屋の大部分は現場で建築される。家屋を建造して、必要なサービスに接続するには熟練した労働力が必要になる。さらに、家屋を建造するにはかなりの時間（典型的には何カ月もの時間）がかかる。この背景ならびに問題およびそれに関連する困難さを踏まえて、本発明が開発された。
【手続補正３】
【補正対象書類名】明細書
【補正対象項目名】０００３
【補正方法】変更
【補正の内容】
【０００３】
本発明によれば、内部床と、２つのバタフライ形屋根部の間の中央屋根部とを有する建物であって、建物が、床、取り外し可能な側壁、及び屋根を有するコンテナから部分的に形成され、内部床が、コンテナの取り外し可能な側壁をコンテナの床の両側端に水平方向に当接させることにより形成され、２つのバタフライ形屋根部が、コンテナの屋根の両側端に沿って並べてヒンジ連結された屋根モジュールにより形成され、中央屋根部がコンテナの屋根により形成され、コンテナの取り外し可能な側壁のうちの少なくとも１つが、建物の外部床を形成する可脱部を有し、可脱部が少なくとも１つの取り外し可能な側壁から取り外された後に、少なくとも１つの取り外し可能な側壁内に残された切欠き内へ居住モジュールを挿入可能である、建物が提供される。
また、本発明は、内部床と、２つのバタフライ形屋根部の間の中央屋根部とを有する建物を形成する方法であって、床、取り外し可能な側壁、及び屋根を有するコンテナを準備し、コンテナの取り外し可能な側壁をコンテナの床に水平方向に当接させることにより内部床を形成し、コンテナの屋根の両側端に沿って並べて屋根モジュールをヒンジ連結することにより２つのバタフライ形屋根部を形成すること、を含み、中央屋根部が、コンテナの屋根により形成され、コンテナの取り外し可能な側壁のうちの少なくとも１つが、建物の外部床を形成する可脱部を有し、可脱部が少なくとも１つの取り外し可能な側壁から取り外された後に、少なくとも１つの取り外し可能な側壁に残された切欠き内へ居住モジュールを挿入可能である、方法を提供する。
さらに、本発明は、内部床と、２つのバタフライ形屋根部の間の中央屋根部とを有する建物を形成するための部品キットであって、床、取り外し可能な側壁、及び屋根を有するコンテナであって、内部床が、コンテナの取り外し可能な側壁をコンテナの床の両側端に水平方向に当接させることにより形成される、コンテナと、２つのバタフライ形屋根部を形成するためにコンテナの屋根の両側端に沿って並べてヒンジ連結可能な屋根モジュールと、を含み、中央屋根部が、コンテナの屋根により形成され、コンテナの取り外し可能な側壁のうちの少なくとも１つが、建物の外部床を形成する可脱部を有し、可脱部が少なくとも１つの取り外し可能な側壁から取り外された後に、少なくとも１つの取り外し可能な側壁に残された切欠き内へ居住モジュールを挿入可能である、部品キットを提供する。
【国際調査報告】
2014508873.tif 000053
2014508873.tif 000054
2014508873.tif 000055
2014508873.tif 000056
2014508873.tif 000057
2014508873.tif 000058